(57)【要約】  本発明は、無線デバイスと、無線アクセスネットワーク（ＲＡＮ）のサービングセルに関連したサービングネットワークノードに接続された無線端末ＵＥを動作させることとに関係するものであり、この方法は、サービングセルの隣接セルからシステム情報を受信すること（６１１、６１３）と、システム情報から、隣接セルが隣接セルのグローバルセル識別子（ＣＧＩ）をブロードキャストするか否かを判定することと、隣接セルがＣＧＩをブロードキャストしない場合には、サービングネットワークノードに、隣接セルは隣接セルのＣＧＩをブロードキャストしないという指示を含むグローバルセル識別子（ＣＧＩ）報告を送信すること（６１５）とを含む。本発明は、対応するネットワークノードと、ネットワークノードにおいて遂行される方法とにさらに関係するものである。【選択図】図６
2021522698.tif 000002
【特許請求の範囲】
【請求項１】
無線アクセスネットワーク（ＲＡＮ）のサービングセルに関連したサービングネットワークノードに接続された無線端末ＵＥ（３３３０）を動作させる方法であって、前記方法は、
・前記サービングセルの隣接セルからシステム情報を受信すること（６１１、６１３）と、
・前記システム情報から、前記隣接セルが前記隣接セルのグローバルセル識別子（ＣＧＩ）をブロードキャストするか否かを判定することと、
・前記隣接セルが前記ＣＧＩをブロードキャストしない場合には、前記サービングネットワークノードにグローバルセル識別子（ＣＧＩ）報告を送信すること（６１５）とを含み、
・前記ＣＧＩ報告が、前記隣接セルは前記隣接セルの前記ＣＧＩをブロードキャストしないという指示を含む、方法。
【請求項２】
・前記サービングネットワークノードに、前記隣接セルの物理セル識別子（ＰＣＩ）を含む測定報告を送信すること（６０３）と、前記サービングネットワークノードから、前記隣接セルの前記ＣＧＩを報告するようにとの要求を受信すること（６０７）であって、前記要求は、前記隣接セルの前記ＰＣＩを含む、測定報告を送信することとをさらに含む、請求項１に記載の方法。
【請求項３】
前記システム情報から、前記隣接セルがグローバルセル識別子（ＣＧＩ）をブロードキャストしないかどうか判定することが、前記ＰＣＩに基づくものである、請求項２に記載の方法。
【請求項４】
前記ＰＣＩが、前記隣接セルによって送信される同期信号において符号化される、請求項２または３に記載の方法。
【請求項５】
・前記要求を受信したことに応答してタイマを始動すること（６０９）をさらに含み、
・前記隣接セルは前記隣接セルのセル識別子をブロードキャストしないことが検知された場合には、前記ＣＧＩ報告を送信することが前記タイマの満了前に遂行される、請求項２から４のいずれか一項に記載の方法。
【請求項６】
前記タイマがＴ３２１タイマであって、前記ＵＥが前記タイマの期間内に前記ＣＧＩの判定に成功した場合には前記ＣＧＩ情報が前記ＣＧＩ報告に含まれる、請求項４に記載の方法。
【請求項７】
前記隣接セルが第１の隣接セルであり、前記システム情報が第１のシステム情報であり、前記セル識別子報告が第１のセル識別子報告であり、前記方法は、
・前記サービングネットワークノードから、第２の隣接セルのセル識別子を報告するようにとの要求を受信すること（６０７）と、
・前記要求を受信したことに応答してタイマを始動すること（６０９）と、
・前記第２の要求を受信したことに応答して、前記第２の隣接セルから、前記第２の隣接セルが前記第２の隣接セルの前記第２のセル識別子をブロードキャストするという第３の指示を含む第２のシステム情報を受信すること（６１１、６１３、６１７）と、
・前記隣接セルは前記第２の隣接セルの前記セル識別子をブロードキャストするという前記指示に応答して、また前記第２の隣接セルの前記セル識別子が受信されないまま前記タイマが満了したことに応答して、空のセル識別子情報フィールドと前記第２の隣接セルは前記第２の隣接セルの前記セル識別子をブロードキャストするという第４の指示とを含む前記セル識別子報告を前記サービングネットワークノードに送信すること（６２３）とをさらに含む、請求項１から５のいずれか一項に記載の方法。
【請求項８】
前記セル識別子情報フィールドが空でないときスタンドアロン／非スタンドアロンのインジケータを供給するように使用される前記セル識別子報告のフィールドにおいて、前記隣接セルはシステム情報ブロックを含まないという前記第２の指示が与えられる、請求項１から７のいずれか一項に記載の方法。
【請求項９】
前記セル識別子情報フィールドが空でないときスタンドアロン／非スタンドアロンのインジケータを供給するように使用される前記セル識別子報告のフィールドにおいて、前記隣接セルはシステム情報ブロックを含まないという前記第２の指示が与えられ、前記隣接セルが第１の隣接セルであり、前記システム情報が第１のシステム情報であり、前記セル識別子報告が第１のセル識別子報告であり、
・前記サービングネットワークノードから、第２の隣接セルのセル識別子を報告するようにとの要求を受信すること（６０７）と、
・前記要求を受信したことに応答して、前記隣接セルから、前記隣接セルが前記第２の隣接セルの前記セル識別子をブロードキャストするという第３の指示と前記第２の隣接セルの前記セル識別子とを含むシステム情報を受信すること（６１１、６１３、６１７）と、
・前記サービングネットワークノードにセル識別子報告を送信すること（６１９）であって、前記第２のセル識別子報告が前記第２の隣接セルの前記セル識別子と前記第２の隣接セルに関するスタンドアロン／非スタンドアロンのインジケータとを含む、セル識別子報告を送信すること（６１９）とをさらに含む、請求項１から６のいずれか一項に記載の方法。
【請求項１０】
前記システム情報が、マスタ情報ブロック（ＭＩＢ）を含み、前記システム情報に前記隣接セルの前記セル識別子を有するシステム情報ブロックを前記隣接セルが含まないという指示を含む、請求項１から９のいずれか一項に記載の方法。
【請求項１１】
前記隣接セルは前記セル識別子を有するシステム情報ブロックを含まないという前記指示が、前記ＭＩＢの物理的ダウンリンク制御チャネル（ＰＤＣＣＨ）のＣｏｎｆｉｇＳＩＢ１情報要素（ＩＥ）で与えられる、請求項１０に記載の方法。
【請求項１２】
・前記サービングネットワークノードから、隣接セルのセル識別子を報告するようにとの要求を受信すること（６０７）をさらに含み、
・前記システム情報を受信することが、前記要求を受信したことに応答して前記隣接セルから前記システム情報を受信することを含む、請求項１から１１のいずれか一項に記載の方法。
【請求項１３】
前記セル識別子報告を送信することが、前記隣接セルは前記隣接セルの前記セル識別子をブロードキャストしないという前記第１の指示に応答して前記セル識別子報告を送信することを含む、請求項１から１２のいずれか一項に記載の方法。
【請求項１４】
前記セル識別子報告が、空のセル識別子情報フィールドと、前記隣接セルは前記隣接セルの前記セル識別子をブロードキャストしないという前記第２の指示とを含む、請求項１から１３のいずれか一項に記載の方法。
【請求項１５】
無線アクセスネットワーク（ＲＡＮ）の基地局（３３２０）を動作させる方法であって、
無線デバイスから、前記隣接セルは前記隣接セルのグローバルセル識別子（ＣＧＩ）をブロードキャストしないという指示を含むセル識別子報告を受信すること（７０９、７１１、７１７）を含む、方法。
【請求項１６】
この情報から、前記指示の原因は、ＣＧＩブロードキャストがないためか、それとも前記無線デバイスが前記隣接セルの前記ＣＧＩを適切に検知することができないためか、判定することをさらに含む、請求項１５に記載の方法。
【請求項１７】
前記隣接セルは前記隣接セルの前記セル識別子をブロードキャストしないという前記指示に応答して前記ＲＡＮノードの別のノードに通知を送信すること（７１９）をさらに含む、請求項１５または１６に記載の方法。
【請求項１８】
前記無線デバイスが第１の無線デバイスであり、ＣＧＩ報告が第１のＣＧＩ報告であり、前記隣接セルが第１の隣接セルであり、前記方法は、
・第２の無線デバイスに、第２の隣接セルの第２のＣＧＩを報告するようにとの要求を送信すること（７０７）と、
・前記第２の無線デバイスから、第２の空のセル識別子情報フィールドと前記第２の隣接セルは前記第２の隣接セルの前記第２のＣＧＩをブロードキャストするという指示とを含む第２のＣＧＩ報告を受信すること（７０９、７１１、７１７）と、
・前記第２の空のセル識別子情報フィールドを含む前記第２のＣＧＩ報告に応答して、また前記第２の隣接セルは前記第２の隣接セルの前記第２のＣＧＩをブロードキャストするという前記指示に応答して、第３の無線デバイスに要求を送信すること（７２１）とをさらに含む、請求項１５から１７のいずれか一項に記載の方法。
【請求項１９】
・前記無線デバイスから、前記隣接セルの物理セル識別子（ＰＣＩ）を含む測定報告を受信すること（７０３）と、
・前記無線デバイスに、隣接セルのセル識別子を報告するようにとの要求を送信すること（７０７）であって、前記要求が、前記ＰＣＩを含み、前記測定報告を受信したことに応答して、また前記基地局に関する隣接関係テーブル（ＮＲＴ）に前記ＣＧＩが含まれていないことに応答して送信される、要求を送信すること（７０７）とをさらに含む、請求項１５から１８のいずれか一項に記載の方法。
【請求項２０】
前記セル識別子情報フィールドが空でないときスタンドアロン／非スタンドアロンのインジケータを供給するように使用される前記セル識別子報告のフィールドにおいて、前記隣接セルはシステム情報ブロックを含まないという前記指示が与えられる、請求項１５から１９のいずれか一項に記載の方法。
【請求項２１】
前記セル識別子情報フィールドが空でないときスタンドアロン／非スタンドアロンのインジケータを供給するように使用される前記セル識別子報告のフィールドにおいて、前記隣接セルはシステム情報ブロックを含まないという前記指示が与えられ、前記無線デバイスが第１の無線デバイスであり、セル識別子報告が第１のセル識別子報告であり、前記隣接セルが第１の隣接セルであり、前記方法は、
・第２の無線デバイスに、第２の隣接セルのＣＧＩを報告するようにとの要求を送信すること（７０７）と、
・前記第２の無線デバイスから、前記第２の隣接セルの前記ＣＧＩと前記第２の隣接セルに関するスタンドアロン／非スタンドアロンのインジケータとを含む第２のＣＧＩ報告を受信すること（７０９、７１１）と、
・前記第２の隣接セルの前記ＣＧＩを使用して前記基地局に関する隣接関係テーブル（ＮＲＴ）を更新すること（７１３）とをさらに含む、請求項１５から１７のいずれか一項に記載の方法。
【請求項２２】
前記無線デバイスに、隣接セルのＣＧＩを報告するようにとの要求を送信すること（７０７）をさらに含む、請求項１５から２１のいずれか一項に記載の方法。
【請求項２３】
前記ＣＧＩ報告が、前記隣接セルは前記隣接セルの前記ＣＧＩをブロードキャストしないことを指示する空のセル識別子情報フィールドを含む、請求項１５から２２のいずれか一項に記載の方法。
【請求項２４】
・無線通信ネットワークとの無線ネットワーク通信をもたらすように設定されたトランシーバ（４００１）と、
・前記トランシーバに結合されたプロセッサ（４００３）であって、前記トランシーバによる無線ネットワーク通信をもたらすように設定され、また請求項１から１４のいずれか一項に記載の動作を遂行するように設定されている、プロセッサ（４００３）とを備える、無線デバイスＵＥ（３３３０）。
【請求項２５】
請求項１から１４のいずれか一項に記載のステップを遂行するように適合された、無線デバイスＵＥ（３３３０）。
【請求項２６】
無線通信ネットワークの基地局（３３２０）であって、
・無線端末との無線ネットワーク通信をもたらすように設定されたトランシーバ（５００１）と、
・前記トランシーバに結合されたプロセッサ（５００３）であって、前記トランシーバによる無線ネットワーク通信をもたらすように設定され、また請求項１５から２３のいずれか一項に記載の動作を遂行するように設定されている、プロセッサ（５００３）とを備える、無線通信ネットワークの基地局（３３２０）。
【請求項２７】
請求項１５から２３のいずれか一項に記載のステップを遂行するように適合された、無線アクセスネットワークの基地局（３３２０）。
【請求項２８】
無線アクセスＲＡＮのサービングセルに関連づけられているサービングネットワークノードに接続された無線端末またはＵＥ（３３３０）を動作させるための方法であって、前記方法は、
・前記サービングネットワークノードから、前記隣接セルの前記ＣＧＩを報告するようにとの要求を受信することと、
・前記サービングセルの隣接セルのシステム情報を受信することと、
・前記システム情報から、前記隣接セルは前記隣接セルのグローバルセル識別子（ＣＧＩ）をブロードキャストするか否か、たとえばシステム情報ブロック１（ＳＩＢ１）が存在するか否かを判定することと、
・前記ＣＧＩを報告するようにとの前記要求を受信したことに応答してタイマを始動することと、
・前記サービングネットワークノードにＣＧＩ報告を送信することとを含み、
・前記ＣＧＩ報告を送信することが、前記隣接セルが前記隣接セルのセル識別子をブロードキャストしないことが検知された場合、前記タイマの満了前に遂行される、方法。
【請求項２９】
前記ＣＧＩ報告を送信したとき前記タイマを停止することをさらに含む、請求項２８に記載の方法。
【請求項３０】
前記タイマがＴ３２１タイマであって、前記ＵＥが前記タイマの期間内に前記ＣＧＩの判定に成功した場合には前記ＣＧＩ情報が前記ＣＧＩ報告に含まれる、請求項２８または２９に記載の方法。
【請求項３１】
前記隣接セルが第１の隣接セルであり、前記システム情報が第１のシステム情報であり、前記セル識別子報告が第１のセル識別子報告であり、前記方法は、
・前記サービングネットワークノードから、第２の隣接セルのセル識別子を報告するようにとの要求を受信すること（６０７）と、
・前記要求を受信したことに応答してタイマを始動すること（６０９）と、
・前記第２の要求を受信したことに応答して、前記第２の隣接セルから、前記第２の隣接セルが前記第２の隣接セルの前記第２のセル識別子をブロードキャストするという第３の指示を含む第２のシステム情報を受信すること（６１１、６１３、６１７）と、
・前記隣接セルは前記第２の隣接セルの前記セル識別子をブロードキャストするという前記指示に応答して、また前記第２の隣接セルの前記セル識別子が受信されないまま前記タイマが満了したことに応答して、空のセル識別子情報フィールドと前記第２の隣接セルは前記第２の隣接セルの前記セル識別子をブロードキャストするという第４の指示とを含む前記セル識別子報告を前記サービングネットワークノードに送信すること（６２３）とをさらに含む、請求項２８から３０のいずれか一項に記載の方法。
【請求項３２】
前記セル識別子情報フィールドが空でないときスタンドアロン／非スタンドアロンのインジケータを供給するように使用される前記セル識別子報告のフィールドにおいて、前記隣接セルはシステム情報ブロックを含まないという前記第２の指示が与えられる、請求項２８から３１のいずれか一項に記載の方法。
【請求項３３】
前記セル識別子情報フィールドが空でないときスタンドアロン／非スタンドアロンのインジケータを供給するように使用される前記セル識別子報告のフィールドにおいて、前記隣接セルはシステム情報ブロックを含まないという前記第２の指示が与えられ、前記隣接セルが第１の隣接セルであり、前記システム情報が第１のシステム情報であり、前記セル識別子報告が第１のセル識別子報告であり、前記方法は、
・前記サービングネットワークノードから、第２の隣接セルのセル識別子を報告するようにとの要求を受信すること（６０７）と、
・前記要求を受信したことに応答して、前記隣接セルから、前記隣接セルが前記第２の隣接セルの前記セル識別子をブロードキャストするという第３の指示と前記第２の隣接セルの前記セル識別子とを含むシステム情報を受信すること（６１１、６１３、６１７）と、
・前記サービングネットワークノードにセル識別子報告を送信すること（６１９）であって、前記第２のセル識別子報告が、前記第２の隣接セルの前記セル識別子と前記第２の隣接セルに関するスタンドアロン／非スタンドアロンのインジケータとを含む、セル識別子報告を送信すること（６１９）とをさらに含む、請求項２８から３２のいずれか一項に記載の方法。
【請求項３４】
前記システム情報が、前記システム情報に前記隣接セルの前記セル識別子を有するシステム情報ブロックを前記隣接セルが含まないという指示を含むマスタ情報ブロック（ＭＩＢ）を含む、請求項２８から３３のいずれか一項に記載の方法。
【請求項３５】
前記隣接セルは前記セル識別子を有するシステム情報ブロックを含まないという前記指示が、前記ＭＩＢの物理的ダウンリンク制御チャネル（ＰＤＣＣＨ）のＣｏｎｆｉｇＳＩＢ１情報要素（ＩＥ）で与えられる、請求項３４に記載の方法。
【請求項３６】
・前記サービングネットワークノードから、隣接セルのセル識別子を報告するようにとの要求を受信すること（６０７）をさらに含み、
・前記システム情報を受信することが、前記要求を受信したことに応答して前記隣接セルから前記システム情報を受信することを含む、請求項２８から３５のいずれか一項に記載の方法。
【請求項３７】
前記セル識別子報告を送信することが、前記隣接セルは前記隣接セルの前記セル識別子をブロードキャストしないという前記第１の指示に応答して前記セル識別子報告を送信することを含む、請求項２８から３６のいずれか一項に記載の方法。
【請求項３８】
前記セル識別子報告が、空のセル識別子情報フィールドと、前記隣接セルは前記隣接セルの前記セル識別子をブロードキャストしないという前記第２の指示とを含む、請求項２８から３７のいずれか一項に記載の方法。
【請求項３９】
・無線通信ネットワークとの無線ネットワーク通信をもたらすように設定されたトランシーバ（４００１）と、
・前記トランシーバに結合されたプロセッサ（４００３）であって、前記トランシーバによる無線ネットワーク通信をもたらすように設定され、また請求項２８から３８のいずれか一項に記載の動作を遂行するように設定されている、プロセッサ（４００３）とを備える、無線デバイスＵＥ（３３３０）。
【請求項４０】
請求項２８から３８のいずれか一項に記載のステップを遂行するように適合された無線デバイスＵＥ（３３３０）。
【発明の詳細な説明】
【技術分野】
【０００１】
本開示は、一般に無線通信ならびに関連する無線デバイスおよびネットワークノードに関し、より具体的にはセルグローバル識別情報（ＣＧＩ）の報告に関する。
【背景技術】
【０００２】
Ｌｏｎｇ  Ｔｅｒｍ  Ｅｖｏｌｕｔｉｏｎ（ＬＴＥ）の最初のリリースから、基地局ｅＮＢの間の関係を自動的に生成するために、自動隣接関係（ＡＮＲ）機能が導入されている。そのような関係は、モビリティ、負荷分散、デュアルコネクティビティなどをサポートする基地局の間の接続を確立するために使用されており、そのために、ＡＮＲはオペレータに関するプランニングおよび運用コストを低減し得る。
【０００３】
ＬＴＥでは、無線デバイスとも称されるユーザ機器（ＵＥ）は、物理セル識別子または物理セル識別情報（ＰＣＩ）を符号化する、セルの１次同期信号（ＰＳＳ）／２次同期信号（ＳＳＳ）に基づいてセルを検知する。ＰＣＩは、ネットワーク全体にわたって一意でなくてもよく、ＬＴＥでは利用可能な５０４の異なるＰＣＩがある。これらの信号の特性により、ＵＥは、取得されたＰＳＳ／ＳＳＳから隣接セルＩＤを自律的に検知し得、その結果、ネットワークは隣接セルのリストをＵＥに供給する必要がない。ＵＥは、一般的には、ターゲット周波数（サービングセルの周波数と同一でも異なってもよい）において短時間（たとえば５ミリ秒）のウィンドウをサンプリングし、このサンプルの中のＰＳＳ／ＳＳＳの出現を（恐らくオフラインで）検索することによって隣接セルを検知して測定し得る。ＵＥは、それぞれの検知されたＰＳＳ／ＳＳＳについて、ＰＣＩに対応するセル参照信号（ＣＲＳ）を使用して測定を遂行することができる。このアクションの結果は、隣接セル識別情報および対応する測定サンプルのリストである。
【０００４】
一旦ＵＥが測定を遂行すると、モビリティイベントは測定報告の送信をトリガすることができる。サービング基地局は、ハンドオーバ準備手順をトリガするために、これらの報告に基づいて、所与のＰＣＩが隣接基地局に属することを識別することができる。このことを識別するために、サービング基地局は、ローカル一意識別子（すなわちＬＴＥにおけるＰＣＩ）を、たとえばＥ−ＵＴＲＡＮセルのグローバル識別子（または識別情報）（Ｅ−ＣＧＩ）といったグローバル一意識別子（または識別情報）にマッピングする隣接関係テーブル（ＮＲＴ）を維持する必要があり得る。Ｅ−ＣＧＩは、ＬＴＥでは、ＰＬＭＮ（公衆陸上移動ネットワーク）ＩＤ（たとえば国コードとネットワークコードの組合せ）と拡張セル識別情報ＥＣＩ（ｅＮＢ  ＩＤとセルＩＤの組合せ）の組合せとして規定されている。
【０００５】
ソースセルからターゲットセルへの隣接関係は、ソースセルを制御している基地局が、ターゲットセルのＥＣＧＩ／ＣＧＩおよびＰＣＩを知っていて、ソースセルがターゲットセルを識別するためのＮＲＴのエントリを有することを意味する。
【０００６】
ＬＴＥにおけるＡＮＲの利益を考えると、ＡＮＲは、ＮＲまたは５Ｇと表される次世代無線システムにおける重要な機能であり続ける可能性がある。難易度の高いＮＲ要件は、レガシー無線アクセス技術（ＲＡＴ）よりも、シームレスのモビリティをより一層重視することになると予期され得、ＮＲにおける自動的な関係確立の重要性がさらに増すはずである。
【０００７】
しかしながら、ある特定のシナリオでは、ＵＥは、たとえば無線状態が悪くて（未知の）隣接セルのＣＧＩを検知し得ないことがある。ＵＥが、未知のセルのＣＧＩを検知し得なかったことをネットワークに知らせるために空のＣＧＩ情報フィールドを用いてＣＧＩ報告を送り得るＬＴＥとは異なって、ＮＲでは、ＳＩＢ１がないこともあり得、したがって、より多くのＵＥにＣＧＩを報告するように命令することは助けにならず、そのような機構は障害を起こす可能性がある。そのような環境では、ネットワークは、ＣＧＩ報告の失敗がＳＩＢ１の不在のためであるか否かが分からず、そのために、さらなるＵＥに（たとえばサービング基地局がそれ自体のＮＲＴを更新し得るように）ＣＧＩ報告を遂行するように命令するべきかどうかが分からない。
【発明の概要】
【０００８】
本発明の目的はＣＧＩ報告のハンドリングを改善することである。
【０００９】
この目的は独立請求項によって達成される。有利な実施形態は、従属請求項および以下の説明に記述されている。
【００１０】
いくつかの実施形態によれば、無線アクセスＲＡＮのサービングセルに関連づけられているサービングネットワークノードに接続された無線端末またはＵＥを動作させるための方法が提供され、この方法は、
・サービングセルの隣接セルのシステム情報（たとえばマスタ情報ブロック（ＭＩＢ））を受信するステップと、
・システム情報から、隣接セルが隣接セルのグローバルセル識別子（ＣＧＩ）をブロードキャストするか否か、たとえばシステム情報ブロック１（ＳＩＢ１）が存在する（ブロードキャストされる）か否（ブロードキャストされない）かを判定するステップと、
・隣接セルがＣＧＩをブロードキャストしない（ＳＩＢ１がない）場合には、サービングネットワークノードにグローバルセル識別子（ＣＧＩ）報告を送信するステップとを含み、
・ＣＧＩ報告は、隣接セルは隣接セルのＣＧＩをブロードキャストしないという指示を含む。
【００１１】
いくつかの実施形態によれば、無線アクセスＲＡＮのサービングセルに関連づけられているサービングネットワークノードに接続された無線端末またはＵＥを動作させるための方法が提供され、この方法は、
・サービングネットワークノードから、隣接セルのＣＧＩを報告するようにとの要求を受信するステップと、
・サービングセルの隣接セルのシステム情報（たとえばマスタ情報ブロック（ＭＩＢ））を受信するステップと、
・システム情報から、隣接セルが隣接セルのグローバルセル識別子（ＣＧＩ）をブロードキャストするか否か、たとえばシステム情報ブロック１（ＳＩＢ１）が存在する（ブロードキャストされる）か否（ブロードキャストされない）かを判定するステップと、
・ＣＧＩを報告するようにとの要求を受信したことに応答して（かつ／または受信した後に）タイマ（たとえばＴ３２１タイマ）を始動するステップと、
・サービングネットワークノードにＣＧＩ報告を送信するステップとを含み、
・ＣＧＩ報告を送信するステップは、隣接セルは隣接セルのセル識別子をブロードキャストしないことを検知した後に（かつ／または検知したことに応答して）タイマの満了前に遂行される。タイマは、ＣＧＩ報告を送信したとき（および／または送信する前に）停止されてよい（そうでない場合、ＵＥが、タイマが満了するまでＣＧＩの取得を試行し続ける可能性がある）。
【００１２】
いくつかの実施形態によれば、無線アクセスネットワーク（ＲＡＮ）の基地局またはｇＮＢを動作させる方法は、無線デバイスからセル識別子報告を受信するステップを含み、セル識別子報告は、隣接セルは隣接セルのグローバルセル識別子（ＣＧＩ）をブロードキャストしないという指示を含む。この方法は、上記の指示が、ＣＧＩブロードキャストがないことに起因するのか、それとも無線デバイスが隣接セルのＣＧＩを適切に検知することができないことに起因するのかを、この情報から判定するステップをさらに含み得る。
【００１３】
いくつかの実施形態によれば、
・サービングセルの隣接セルのシステム情報（たとえばマスタ情報ブロック（ＭＩＢ））を受信するステップと、
・システム情報から、隣接セルは隣接セルのグローバルセル識別子（ＣＧＩ）をブロードキャストするか否か、たとえばシステム情報ブロック１（ＳＩＢ１）が存在する（ブロードキャストされる）か否（ブロードキャストされない）かを判定するステップと、
・隣接セルがＣＧＩをブロードキャストしない（ＳＩＢ１がない）場合には、サービングネットワークノードにグローバルセル識別子（ＣＧＩ）報告を送信するステップとを遂行するＵＥが提供され、
・ＣＧＩ報告は、隣接セルは隣接セルのＣＧＩをブロードキャストしないという指示を含む。
【００１４】
いくつかの実施形態によれば、
・サービングネットワークノードから、隣接セルのＣＧＩを報告するようにとの要求を受信するステップと、
・サービングセルの隣接セルのシステム情報（たとえばマスタ情報ブロック（ＭＩＢ））を受信するステップと、
・システム情報から、隣接セルは隣接セルのグローバルセル識別子（ＣＧＩ）をブロードキャストするか否か、たとえばシステム情報ブロック１（ＳＩＢ１）が存在する（ブロードキャストされる）か否（ブロードキャストされない）かを判定するステップと、
・ＣＧＩを報告するようにとの要求を受信したことに応答して（かつ／または受信した後に）タイマ（たとえばＴ３２１タイマ）を始動するステップと、
・サービングネットワークノードにＣＧＩ報告を送信するステップとを遂行するＵＥが提供され、
・ＣＧＩ報告を送信するステップは、隣接セルは隣接セルのセル識別子をブロードキャストしないことを検知した後に（かつ／または検知したことに応答して）タイマの満了前に遂行される。タイマはＣＧＩ報告を送信したとき（および／または送信する前に）停止されてよい。
【００１５】
いくつかの実施形態によれば、無線デバイスからセル識別子報告を受信するステップを遂行するｇＮＢの基地局が提供され、セル識別子報告は、隣接セルは隣接セルのグローバルセル識別子（ＣＧＩ）をブロードキャストしないという指示を含む。この基地局は、上記の指示の原因は、ＣＧＩブロードキャストがないためか、それとも無線デバイスが隣接セルのＣＧＩを適切に検知することができないためかを、この情報から判定し得る。
【００１６】
添付図面は、本開示のさらなる理解を提供するために含まれており、本出願の一部分として組み込まれ、発明概念のある特定の非限定的な実施形態を図示するものである。
【図面の簡単な説明】
【００１７】
【図１Ａ−１Ｅ】ＬＴＥとＮＲの相互動作の例の図示である。
【図２】発明概念のいくつかの実施形態による、ＣＧＩ報告を受信したときの基地局の動作を図示する表である。
【図３】発明概念のいくつかの他の実施形態による、ＣＧＩ報告を受信したときの基地局の動作を図示する表である。
【図４】発明概念のいくつかの実施形態による無線デバイスまたはＵＥを図示するブロック図である。
【図５】発明概念のいくつかの実施形態によるネットワークノードｅＮＢ／ｇＮＢを図示するブロック図である。
【図６】発明概念のいくつかの実施形態による無線デバイスの動作を図示する流れ図である。
【図７】発明概念のいくつかの実施形態による基地局の動作を図示する流れ図である。
【図８】中間ネットワークを介してホストコンピュータに接続された遠隔通信ネットワークの概略図である。
【図９】部分的無線接続によって、基地局を介してユーザ機器と通信するホストコンピュータの一般化されたブロック図である。
【図１０】ホストコンピュータ、基地局およびユーザ機器を含む通信システムにおいて実施される方法を図示する流れ図である。
【図１１】ホストコンピュータ、基地局およびユーザ機器を含む通信システムにおいて実施される方法を図示する流れ図である。
【図１２】ホストコンピュータ、基地局およびユーザ機器を含む通信システムにおいて実施される方法を図示する流れ図である。
【図１３】ホストコンピュータ、基地局およびユーザ機器を含む通信システムにおいて実施される方法を図示する流れ図である。
【発明を実施するための形態】
【００１８】
次に、発明概念の実施形態の例を示す添付図面を参照しながら、以下で発明概念をより十分に説明する。しかしながら、発明概念は種々の形態で具現され得、本明細書で明らかにされた実施形態に限定されるものと解釈されるべきではない。むしろ、これらの実施形態は、本開示が十分かつ完結したものになるように提供されるものであり、当業者に対して本発明概念の範囲を十分に伝えるはずである。これらの実施形態が相互排除ではないことにも留意されたい。一実施形態からの構成要素は、別の実施形態において存在する／使用されると暗に想定されてよい。
【００１９】
以下の説明は、開示された主題の様々な実施形態を提示するものである。これらの実施形態は教示する例として提示され、開示された主題の範囲を制限するものと解釈されるべきではない。たとえば、説明された実施形態のある特定の詳細が、説明された主題の範囲から逸脱することなく、変更され得、省略され得、または拡張され得る。
【００２０】
図４は、発明概念の実施形態に従って無線通信を提供するように設定されたＵＥ（無線端末、無線（通信）デバイス、無線通信端末、ユーザ機器、ユーザ機器ノード／端末／デバイスとも称される）の要素を図示するブロック図である。示されるように、ＵＥは、アンテナ４００７と、無線通信ネットワーク（無線アクセスネットワーク（ＲＡＮ）とも称される）の基地局ｅＮＢとのアップリンクおよびダウンリンクの無線通信を提供するように設定された送信機および受信機を含むトランシーバ回路４００１（トランシーバとも称される）とを含み得る。ＵＥは、トランシーバ回路に結合されたプロセッサ回路４００３（プロセッサとも称される）、およびプロセッサ回路に結合された記憶回路４００５（記憶装置とも称される）も含み得る。プロセッサ回路４００３は、記憶回路４００５に含まれ得るコンピュータ可読プログラムコードを実行することにより、本明細書で開示された実施形態による動作を遂行する。他の実施形態によれば、プロセッサ回路４００３は記憶装置を含むように規定されてよく、その結果、個別の記憶回路が不要になる。ＵＥは、プロセッサ４００３に結合された（ユーザインターフェースなどの）インターフェースも含んでよく、ならびに／あるいはＵＥはＩｏＴおよび／またはＭＴＣデバイスでよい。
【００２１】
本明細書で論じられたように、ＵＥの動作はプロセッサ４００３および／またはトランシーバ４００１によって遂行され得る。たとえば、トランシーバ４００１は、無線インターフェースを通じて無線通信ネットワークの基地局ｅＮＢにアップリンク通信を送信し、かつ／または無線通信ネットワークの基地局ｅＮＢから無線インターフェースを通じてダウンリンク通信を受信するように、プロセッサ４００３によって制御され得る。その上に、記憶装置４００５にはモジュールが記憶され得、プロセッサ４００３は、これらのモジュールによって供給され得る命令を実行することにより、それぞれの動作（たとえば例示の実施形態に関して以下で論じられる動作）を遂行する。
【００２２】
図５は、発明概念の実施形態に従って移動体通信を提供するように設定された無線通信ネットワーク（無線アクセスネットワーク（ＲＡＮ）とも称される）のノード（ネットワークノード、基地局、ｅＮＢ、ｅＮｏｄｅＢなどとも称される）の要素を図示するブロック図である。示されるように、ネットワークノードは、無線デバイスとのアップリンクおよびダウンリンクの無線通信をもたらすように設定された送信機および受信機を含むトランシーバ回路５００１（トランシーバとも称される）を含み得る。ネットワークノードが含み得るネットワークインターフェース回路５００７（ネットワークインターフェースとも称される）は、ＲＡＮの他のノード（たとえば他の基地局および／またはコアネットワークノード）との通信をもたらすように設定されている。ネットワークノードは、トランシーバ回路に結合されたプロセッサ回路５００３（プロセッサとも称される）、およびプロセッサ回路に結合された記憶回路５００５（記憶装置とも称される）も含み得る。プロセッサ回路５００３は、記憶回路５００５に含まれ得るコンピュータ可読プログラムコードを実行することにより、本明細書で開示された実施形態による動作を遂行する。他の実施形態によれば、プロセッサ回路５００３は記憶装置を含むように規定されてよく、その結果、個別の記憶回路が不要になる。
【００２３】
本明細書で論じられたように、ネットワークノードの動作は、プロセッサ５００３、ネットワークインターフェース５００７、および／またはトランシーバ５００１によって遂行され得る。たとえば、トランシーバ５００１は、無線インターフェースを通じて１つまたは複数のＵＥにダウンリンク通信を送信し、かつ／または無線インターフェースを通じて１つまたは複数のＵＥからアップリンク通信を受信するにように、プロセッサ５００３によって制御され得る。同様に、ネットワークインターフェース５００７は、１つまたは複数の他のネットワークノードに通信を送信し、かつ／または１つまたは複数の他のネットワークノードから通信を受信するように、プロセッサ５００３によって制御され得る。その上に、記憶装置５００５にはモジュールが記憶され得、プロセッサ５００３は、これらのモジュールによって供給され得る命令を実行することにより、それぞれの動作（たとえば例示の実施形態に関して以下で論じられる動作）を遂行する。
【００２４】
上記で論じられたように、ＣＧＩ報告はＡＮＲ機能性の一部分であり、ＵＥは、基地局ｅＮＢ／ｇＮＢが隣接関係情報を構築するのを支援するために、隣接セルのシステム情報（グローバルセル識別情報を含む）を読み取るように要求される。ＵＥが未知のＰＣＩ（すなわち未知の隣接セル）を報告したとき、ＣＧＩ測定が要求されてよい。ＰＣＩ情報は、種々の目的のために開始されている可能性があるすべてのＵＥ測定報告に含まれ得る。基地局ｅＮＢ／ｇＮＢが隣接セルに関する情報を要求したとき、この情報が記憶されてノードの間のｘ２／Ｘｎ接続（ネットワークインターフェース接続）をセットアップするために使用され、この接続は、上記で論じられたように、ハンドオーバ、デュアルコネクティビティのセットアップなど、いくつかの異なる手順のために使用され得る。
【００２５】
ＬＴＥでは、ＵＥは、ｒｅｐｏｒｔＣＧＩにセットされるように、ｒｅｐｏｒｔＣｏｎｆｉｇを含む測定設定を受信したとき、Ｔ３２１で表されるタイマを始動して、要求されたセルのＣＧＩ情報を取得することを試行する。ＵＥは、タイマの期間内にＣＧＩ情報を取得できたら、ｒｅｐｏｒｔＣＧＩメッセージにＣＧＩ情報を含めてネットワーク（ＮＷ）に送る。他方では、ＵＥは、Ｔ３２１の期間内にＣＧＩ情報を検知できなければ、ＣＧＩ情報フィールドが空のｒｅｐｏｒｔＣＧＩメッセージを送る。
【００２６】
既存のＬＴＥおよびエボルブドパケットコア（ＥＰＣ）との相互動作を伴う／伴わない５Ｇネットワークを配備するための種々のやり方がある。これらの選択肢のうちのいくつかが図１Ａ〜図１Ｅに図示されている。図１Ｃの、サポートされる第１のバージョンは「オプション３」と称され、これはＥＮ−ＤＣ（ＥＵＴＲＡＮ−ＮＲデュアルコネクティビティ）と称される。そのような配備では、ＮＲとＬＴＥの間にデュアルコネクティビティが適用され、ＬＴＥ基地局ｅＮＢが主ノードであってＮＲ基地局ｇＮＢが副ノードである。ＮＲをサポートするＲＡＮノード（ｇＮＢ）は、コアネットワーク（ＥＰＣ）に対する制御プレーン接続を有しなくてよく、代わりに、主ノード（ＭｅＮＢ）としてのＬＴＥノードｅＮＢに頼ってよい。これは非スタンドアロン（ＮＳＡ）ＮＲとも称され、この配備には５ＧＣＮがなくてよい。この場合、ＮＲセルの機能性は、接続モードＵＥに対するブースタおよび／またはダイバーシティレッグとしての使用に制限され得るが、ＵＥはこれらのＮＲセル上にキャンプしなくてよい。
【００２７】
５Ｇコアネットワーク（５ＧＣＮ）の導入に伴って、他のオプションも有効になり得る。たとえば、図１Ｂのオプション２は、５Ｇ基地局ｇＮＢが５ＧＣＮに接続されるスタンドアロン（ＳＡ）ＮＲ配備をサポートし得る。同様に、ＬＴＥ基地局ｅＮＢは、図１Ｄのオプション５を使用して５ＧＣＮにも接続され得る。これらの事例では、ＮＲとＬＴＥは、どちらも、５ＧＣＮに接続されたＮＧ−ＲＡＮの一部分と見なされ得る。
【００２８】
システム情報は、マスタ情報ブロック（ＭＩＢ）と複数のシステム情報ブロック（ＳＩＢ）とに分割される。ＭＩＢに含まれ得る最も重要かつ／または最も頻繁に送信される限られた数のパラメータが、セルから他の情報を取得するために使用され、ＭＩＢはＢＣＨ（ブロードキャストチャネル）上で送信される。
【００２９】
詳細には、ＡＮＲに使用される／必要とされる情報すなわちＣＧＩ、ＴＡＣ（トラッキングエリアコード）、およびＰＬＭＮリストは、システム情報ブロックタイプ１（ＳＩＢ１）でブロードキャストされ得る。ＮＲがＬＴＥと一緒に（より正確に前述のＥＮ−ＤＣとして）配備され得るので、ＮＲセルがＳＩＢ１送信をスキップする可能性がある。無線デバイスＵＥがＳＩＢ１送信の不在を実現するのを支援するために、ＳＩＢ１に関する指示がＭＩＢでブロードキャストされてよい。ＭＩＢ１におけるｐｄｃｃｈ−ＣｏｎｆｉｇＳＩＢ１情報要素（ＩＥ）が必須にされてよく、「ＳＩＢ１不在」として（たとえばすべてゼロの）１つのコードポイントが割り当てられ得る。このように、ＵＥは、ＭＩＢコンテンツを復号することにより、ＳＩＢ１が送信されるか否かを知ることができる。
【００３０】
ある特定のシナリオでは、ＵＥは、たとえば無線状態が悪いために未知のセルのＣＧＩを検知し得ない可能性がある。そのような場合、ＬＴＥでは、ＵＥは、前述のように空のＣＧＩ情報フィールドを伴うＣＧＩ報告を送る。このように、ＮＷは、ＵＥが未知のセルのＣＧＩを検知し得ないことを知ることになる。この場合、ＮＷは、ＡＮＲ手順を終了させるために、より多くの無線デバイスＵＥに、未知のセルのＣＧＩ報告を遂行するように命令することができる。
【００３１】
他方、ＮＲでは、ＳＩＢ１が不在であり得て、ＣＧＩ報告を求めて無線デバイスＵＥにより多くの要求を送ることは助けにならないため、そのような機構は障害を起こす可能性がある。現在の報告構造では、ネットワークＮＷには、何らかのＣＧＩ報告の障害がＳＩＢ１の不在によるものか否かを知る可能性はあり得ない。それゆえに、ネットワークＮＷは、より多くの無線デバイスＵＥに対して未知のＰＣＩに関するＣＧＩ報告を遂行するようにとのより多くの要求を送るべきか否かが分からない可能性がある。
【００３２】
発明概念のいくつかの実施形態によれば、ＵＥは、ＣＧＩ報告の要求に応答するとき、ＳＩＢ１の存否に関する情報を用いてサービング基地局に応答してよい。
【００３３】
ＵＥ側では、これは、ＵＥが隣接セルのＭＩＢブロードキャストチャネルからＳＩＢ１の存在／不在に関する情報を受信して（または読み取って）、後にこの情報をサービングセルに報告し得ることを意味する。次いで、サービングセルを担当するネットワークノードが、この情報を使用して、何らかの障害を起こしたＣＧＩ報告が、ＳＩＢ１の不在によるのか、それともＵＥが隣接セルのＣＧＩを適切に検知し得ないことによるのかを知ることができる。
【００３４】
発明概念のいくつかのＵＥ関連の実施形態によれば、隣接セルからのＳＩＢ１の存在／不在に関する情報が拡張ＣＧＩ報告を使用して実現され得、この場合、ＵＥは、セルがＳＩＢ１をブロードキャストしているか否かを最初に取得することに基づき、ネットワークによって（ローカルな）ＮＲセル識別子（たとえば物理セル識別子ＰＣＩ）を供給される。隣接セルがＳＩＢ１をブロードキャストする場合、ＵＥはこのＮＲセル識別子に関連したシステム情報を取得する。一旦これが行われると、ＵＥは、この情報を含めた測定報告をサービングノードに送る。
【００３５】
発明概念のいくつかのネットワーク関連の実施形態によれば、報告される情報は、サービング基地局によって報告されたＮＲセルのあたりのＵＥから受信され、サービング基地局は、ＣＧＩ報告障害に際してどのアクションを採用するかを裁定することができる。たとえば、障害がＳＩＢ１の不在によるものであれば、サービング基地局は、第３のネットワークノードに（たとえば、動作および管理（ＯＡＭ）エンティティが、すべてのセルに、しばらくの間ＳＩＢ１をブロードキャストするように命令するように）これを報告することができ、障害がＳＩＢ１の不在によるものでなければ（ＵＥがＣＧＩを検知し得ない場合には）、サービング基地局は、より多くのＵＥに、未知のセルのＣＧＩ報告を遂行するように命令することができる。
【００３６】
発明概念のいくつかの実施形態によれば、改善されたＡＮＲ動作が提供され得る。ＣＧＩ報告障害の場合には、より適切なアクションをトリガするために、ＮＷによって、ＳＩＢ１の存在／不在に関する情報が使用され得る。前述のように、ＣＧＩ報告の障害がＳＩＢ１の不在によるものでなければ、ＮＷは、より多くの無線デバイスＵＥに対して、ＣＧＩ報告を遂行するようにとの要求を送ることができ、ＣＧＩ報告の障害がＳＩＢ１の不在によるものであれば、ＮＷは、ＡＮＲ手順を支援するために、すべてのセルまたは地理的エリアの内部のセルに、ＳＩＢ１を送信するように命令することなどのアクションを採用することができる。その上に、エンドユーザの効率が改善され得る。ＵＥは、ＭＩＢを復号した後にＳＩＢ１が不在であることを理解したときには、タイマの満了（たとえばＴ３２１タイマの満了）を待たずに、ＣＧＩ報告における空のＣＧＩ情報と一緒にこの情報を送ることができる。
【００３７】
ＣＧＩ報告はＡＮＲ動作の一部分でよく、この報告で、ＵＥは、基地局ｅＮＢ／ｇＮＢが隣接関係情報を構築するのを支援するために、隣接セルのシステム情報（たとえばセルのグローバル識別情報を含む）を読み取るように要求される。ＵＥが未知のＰＣＩ（未知の隣接セル）を報告したとき、ＣＧＩ測定が要求されてよい。ＰＣＩ情報は、種々の目的のために開始されている可能性があるすべてのＵＥ測定報告に含まれ得る。基地局ｅＮＢ／ｇＮＢが隣接セルに関する情報を要求したとき、この情報は記憶されてよく、かつ／またはノード（基地局）の間のｘ２／Ｘｎ接続をセットアップするために使用されてよく、この情報は、ハンドオーバ、デュアルコネクティビティのセットアップなどの種々の手順のために使用され得る。
【００３８】
いくつかの実施形態では、ＵＥは、ＮＲ測定（これは、ＵＥがＬＴＥ基地局ｅＮＢに接続されていればＲＡＴ間測定であり、そうでなければ、ＵＥが５Ｇ基地局ｇＮＢに接続されていればＮＲ内測定である）を用いて設定され得る。
【００３９】
ＵＥが、サービングｅＮＢ／ｇＮＢのＮＲＴにおいて知られていない隣接ＮＲセルのＰＣＩを報告したとき、ネットワークによって、ＮＲセルのグローバル識別情報（ＮＣＧＩ）測定が要求されてよい。いくつかの実施形態によれば、ＮＣＧＩ測定報告はＳＩＢ１が存在しているか否かを指示してよい。
【００４０】
基地局ｅＮＢ／ｇＮＢは、ＣＧＩ報告が障害を起こした場合（たとえば空のＣＧＩフィールドを伴うＣＧＩ報告を受信した場合）、ＳＩＢ１の存在／不在の情報に基づいて、どのアクションを採用するかを判定してよく、
・ＣＧＩ報告の障害が隣接セルからのＳＩＢ１の不在によるものであれば、基地局は、ある特定の地理的エリアにおけるすべてのセルに、しばらくＳＩＢ１を送信するように命令することなどのさらなるアクションのために、たとえばＯＡＭといった第３のＮＷノードにこれを報告することができる。
・ＣＧＩ報告の障害が隣接セルからのＳＩＢ１の不在によるものでなければ、基地局は、より多くの無線デバイスＵＥに、隣接セルのＣＧＩ報告を遂行するように命令することができる。
【００４１】
ＵＥからのＣＧＩ報告においてＳＩＢ１の存在を指示するための種々のやり方がある。
【００４２】
いくつかの実施形態によれば、この文献における解説のために「ＳＩＢ１存在」と表示される追加のビット（またはフラグ）が、ＣＧＩ報告ｒｅｐｏｒｔＣＧＩに規定され得る。この場合、このビット（フラグ）を１（真）にセットするとＳＩＢ１の存在を指示し、このビット（フラグ）を０（偽）にセットするとＳＩＢ１が不在であることを指示する。表１は、ＵＥから拡張ＣＧＩ報告を受信したときのＮＷのアクションを要約するものである。図２の表１（ＣＧＩ報告を受信したときのＮＷのアクションを図示する）に示されるように、
・「ＳＩＢ１存在」フラグが真（＝１）であって「ＣＧＩ情報」が空でなければ、サービング基地局ｅＮＢ／ｇＮＢはＣＧＩ情報を使用してＡＮＲを判定し（ＡＮＲ表を構築し）、
・「ＳＩＢ１存在」フラグが真（＝１）であって「ＣＧＩ情報」が空であれば、サービング基地局は、１つまたは複数の他の無線デバイスに、ＣＧＩ報告を遂行するように命令し、
・「ＳＩＢ１存在」フラグが偽（＝０）であって「ＣＧＩ情報」が空であれば、サービング基地局は、この出現を別のＮＷノードに報告する。
・「ＳＩＢ１存在」フラグが偽（＝０）であって「ＣＧＩ情報」が空であれば、そのような組合せは起こり得ないので誤りと見なされてよい。
【００４３】
最近の審議において、出願人は、ｒｅｐｏｒｔＣＧＩに、報告されたセルがスタンドアロンかそれとも非スタンドアロンかを指示するためのＳＡ／ＮＳＡ（スタンドアロン／非スタンドアロン）のインジケータを追加することを提案した。ＳＡモードの動作は、ｇＮＢがコアネットワーク（ＣＮ）に対する制御プレーン接続を有することを指し得、ＮＳＡモードの動作は、ｇＮＢがＣＮに対する制御プレーン接続を有さず、代わりに、主ノードとしてのサービングネットワークノードに頼ってよいことを指し得る。ＳＡ（モードの）動作では、ＮＷ基地局は常にＳＩＢ１を送信する必要があり得、したがって、ＳＡ／ＮＳＡインジケータは、ＳＩＢ１の存在を報告するためにも使用され得る（多目的）。いくつかの実施形態によれば、図３の表２に図示されるように、ＳＩＢ１の存在／不在に関する情報は、ＳＡ／ＮＳＡインジケータを使用して、（存在する場合には）ｒｅｐｏｒｔＣＧＩに暗示的に符号化され得、
・組み合わされたＳＡ／ＮＳＡ−ＣＧＩ存在／不在のインジケータフラグが真（＝１）にセットされていてＣＧＩ情報が空でなければ、基地局ｅＮＢ／ｇＮＢは、ＣＧＩ情報を使用してＡＮＲを判定し（ＡＮＲ表を構築し）、セルがＳＡであるという情報も記憶してよく、
・組み合わされたＳＡ／ＮＳＡ−ＣＧＩ存在／不在のインジケータフラグが偽（＝０）にセットされていてＣＧＩ情報が空でなければ、基地局ｅＮＢ／ｇＮＢは、ＣＧＩ情報を使用してＡＮＲを判定し（ＡＮＲ表を構築し）、セルがＮＳＡであるという情報も記憶してよく、
・組み合わされたＳＡ／ＮＳＡ−ＣＧＩ存在／不在インジケータフラグが真（＝１）にセットされていてＣＧＩ情報が空であれば、基地局ｅＮＢ／ｇＮＢは、少なくとも１つの他のＵＥに、ＣＧＩ報告を遂行するように命令し、
・組み合わされたＳＡ／ＮＳＡ−ＣＧＩ存在／不在インジケータフラグが偽（＝０）にセットされていてＣＧＩ情報が空であれば、基地局ｅＮＢ／ｇＮＢは別のＮＷノードにこのイベントを報告する。
【００４４】
実施形態では、ＵＥは、ＭＩＢを復号してＳＩＢ１が不在であることを理解したときには、測定タイマ（たとえばＴ３２１タイマ）の満了を待たない。この場合、ＵＥは、測定タイマ（Ｔ３２１）を停止して、空のＣＧＩ情報を伴うＣＧＩ報告を送り得る。ＵＥは、前述の実施形態のうちの任意のものを使用して、サービング基地局ｅＮＢ／ｇＮＢにＳＩＢ１の不在を指示する。
【００４５】
次に、発明概念のいくつかの実施形態に従って、図６の流れ図を参照しながらＵＥの動作を論じる。たとえば、図４の無線端末の記憶装置４００５に記憶され得るモジュールが命令を供給し得、無線デバイスのプロセッサ４００３が、モジュールの命令を実行して、図６の流れ図のそれぞれの動作を遂行する。
【００４６】
本質的には、隣接セルは隣接セルのセル識別子をブロードキャストしないという第１の指示を含むシステム情報を隣接セルから受信するステップ（６１１、６１３）と、ＲＡＮにセル識別子報告を送信するステップ（６１５）とであり、セル識別子報告は、隣接セルは隣接セルのセル識別子をブロードキャストしないという第２の指示を含む。
【００４７】
図６は、無線アクセスネットワークＲＡＮにおけるＵＥの動作を図示するものである。ブロック６０１において、プロセッサ４００３は、ＲＡＮのサービング基地局ｅＮＢ／ｇＮＢに測定報告を送信するべき時間を判定し得る。プロセッサは、測定報告を送信するとの判定に応答して、ブロック６０３において、トランシーバ４００１によって、隣接セルの物理セル識別子ＰＣＩを含む測定報告をＲＡＮのサービング基地局ｅＮＢ／ｇＮＢに送信し得る。ＰＣＩは、たとえば隣接セルによって送信される同期信号の中に符号化されてよい。
【００４８】
ブロック６０５において、プロセッサ４００３は、サービング基地局からセル識別子要求（たとえばセルグローバル識別子ＣＧＩを求める要求）が受信されたかどうかを判定し得る。サービング基地局は、サービング基地局に関する隣接関係テーブルＮＲＴに隣接セルのＰＣＩおよび／または対応するＣＧＩが含まれていなければ、たとえばセル識別子要求を送信してよい。そうでなければ、サービング基地局は、測定報告に応答してセル識別子要求を送信しなくてもよい。セル識別子要求が送信されると、プロセッサは、ブロック６０７において、（トランシーバ４００１によって）ＲＡＮのサービング基地局から、隣接セルのセル識別子を報告するようにとの要求を受信し得、この要求は隣接セルのＰＣＩを含み得る。
【００４９】
プロセッサ４００３は、サービング基地局からの要求を受信したことに応答して、ブロック６０９において測定タイマ（たとえばＴ３２１タイマ）を始動し、ブロック６１１において、トランシーバ４００１によって隣接セルからシステム情報を受信し得る。ブロードキャストされたシステム情報において、ブロック６１１のシステム情報が含み得るマスタ情報ブロックＭＩＢは、隣接セルは隣接セルのセル識別子を有するシステム情報ブロックを含まないという指示を伴う。たとえば、隣接セルはセル識別子を有するシステム情報ブロックを含まないという指示は、ＭＩＢの物理的ダウンリンク制御チャネルＰＤＣＣＨのＣｏｎｆｉｇＳＩＢ１情報要素ＩＥで与えられ得る。
【００５０】
ブロック６１３において、プロセッサ４００３は、隣接セルは隣接セルのセル識別子をブロードキャストしないという指示を含むシステム情報に応答して、ブロック６１５において、トランシーバ４００１によって、サービング基地局にセル識別子報告を送信してよく、セル識別子報告は、空のセル識別子フィールドを含み、隣接セルは隣接セルのセル識別子をブロードキャストしないという指示を伴う。その上に、ブロック６１５のセル識別子報告は、ブロック６１３における、隣接セルは隣接セルのセル識別子をブロードキャストしないという指示を含むシステム情報を受信したことに応答して、測定タイマが満了する前に送信されてよい。
【００５１】
したがって、ブロック６０１、６０３、６０５、６０７、６０９、６１１、６１３、および６１５に関して上記で論じられた動作は、セル識別子はブロードキャストされないという指示を隣接セルが送信するとき遂行されてよい。セル識別子がブロードキャストされるという指示を隣接セルが送信してもセル識別子が受信されないときの動作を、以下で論じる。
【００５２】
ブロック６０１において、プロセッサ４００３は、ＲＡＮの現在のサービング基地局ｅＮＢ／ｇＮＢ（たとえば上記で論じられたものと同一のサービング基地局または異なるサービング基地局）に別の測定報告を送信するべき時間を判定してよい。プロセッサ４００３は、別の測定報告を送信するとの判定に応答して、ブロック６０３において、トランシーバ４００１によって、第２の隣接セルの物理セル識別子ＰＣＩを含む測定報告をＲＡＮの現在のサービング基地局ｅＮＢ／ｇＮＢに送信し得る。ＰＣＩは、たとえば第２の隣接セルによって送信される同期信号の中に符号化されてよい。
【００５３】
ブロック６０５において、プロセッサ４００３は、現在のサービング基地局から第２の隣接セルのセル識別子要求（たとえばセルグローバル識別子ＣＧＩを求める要求）が受信されたかどうかを判定し得る。現在のサービング基地局は、現在のサービング基地局に関する隣接関係テーブルＮＲＴに、第２の隣接セルのＰＣＩおよび／または対応するＣＧＩが含まれていなければ、たとえばセル識別子要求を送信してよい。そうでなければ、現在のサービング基地局は、測定報告に応答してセル識別子要求を送信しなくてもよい。セル識別子要求が送信されると、プロセッサ４００３は、ブロック６０７において、（トランシーバ４００１によって）ＲＡＮの現在のサービング基地局から、第２の隣接セルのセル識別子を報告するようにとの要求を受信し得、この要求は第２の隣接セルのＰＣＩを含み得る。
【００５４】
プロセッサ４００３は、現在のサービング基地局からの要求を受信したことに応答して、ブロック６０９において測定タイマ（たとえばＴ３２１タイマ）を始動し、ブロック６１１において、トランシーバ４００１によって第２の隣接セルからシステム情報を受信し得る。ブロードキャストされたシステム情報において、ブロック６１１の第２の隣接セルからのシステム情報が含み得るマスタ情報ブロックＭＩＢは、第２の隣接セルは第２の隣接セルのセル識別子を有するシステム情報ブロックを含むという指示を伴う。たとえば、第２の隣接セルはセル識別子を有するシステム情報ブロックを含むという指示は、第２の隣接セルによってブロードキャストされたＭＩＢの物理的ダウンリンク制御チャネルＰＤＣＣＨのＣｏｎｆｉｇＳＩＢ１情報要素ＩＥで与えられ得る。
【００５５】
ブロック６１３における、隣接セルは隣接セルのセル識別子をブロードキャストするという指示を含むシステム情報に応答して、またブロック６１７および６２１において第２の隣接セルのセル識別子が受信されないまま測定タイマが満了したことに応答して、プロセッサ４００３は、ブロック６２３において、トランシーバ４００１によって、現在のサービング基地局に第２の隣接セルのセル識別子報告を送信してよい。より詳細には、ブロック６２３のセル識別子報告は、空のセル識別子情報フィールドと、第２の隣接セルが第２の隣接セルのセル識別子をブロードキャストするという指示とを含み得る。
【００５６】
したがって、ブロック６０１、６０３、６０５、６０７、６０９、６１１、６１３、６１７、６２１、および６２３に関して上記で論じられた動作は、セル識別子がブロードキャストされたがセル識別子が受信されないという指示を隣接セルが送信するとき遂行されてよい。隣接セルからセル識別子が受信されたときの動作を、以下で論じる。
【００５７】
ブロック６０１において、プロセッサ４００３は、ＲＡＮの現在のサービング基地局ｅＮＢ／ｇＮＢ（たとえば上記で論じられたものと同一のサービング基地局または異なるサービング基地局）に別の測定報告を送信するべき時間を判定してよい。プロセッサ４００３は、別の測定報告を送信するとの判定に応答して、ブロック６０３において、トランシーバ４００１によって、第３の隣接セルの物理セル識別子ＰＣＩを含む測定報告をＲＡＮの現在のサービング基地局ｅＮＢ／ｇＮＢに送信し得る。ＰＣＩは、たとえば第３の隣接セルによって送信される同期信号の中に符号化されてよい。
【００５８】
ブロック６０５において、プロセッサ４００３は、現在のサービング基地局から第３の隣接セルのセル識別子要求（たとえばセルグローバル識別子ＣＧＩを求める要求）が受信されたかどうかを判定し得る。現在のサービング基地局は、現在のサービング基地局に関する隣接関係テーブルＮＲＴに第３の隣接セルのＰＣＩおよび／または対応するＣＧＩが含まれていなければ、たとえばセル識別子要求を送信してよい。そうでなければ、現在のサービング基地局は、測定報告に応答してセル識別子要求を送信しなくてもよい。セル識別子要求が送信されると、プロセッサ４００３は、ブロック６０７において、（トランシーバ４００１によって）ＲＡＮの現在のサービング基地局から、第３の隣接セルのセル識別子を報告するようにとの要求を受信し得、この要求は第３の隣接セルのＰＣＩを含み得る。
【００５９】
プロセッサ４００３は、現在のサービング基地局からの要求を受信したことに応答して、ブロック６０９において測定タイマ（たとえばＴ３２１タイマ）を始動し、ブロック６１１において、トランシーバ４００１によって第３の隣接セルからシステム情報を受信し得る。ブロードキャストされたシステム情報において、ブロック６１１の第３の隣接セルからのシステム情報が含み得るマスタ情報ブロックＭＩＢは、第３の隣接セルは第３の隣接セルのセル識別子を有するシステム情報ブロックを含むという指示を伴う。たとえば、第３の隣接セルはセル識別子を有するシステム情報ブロックを含むという指示は、第３の隣接セルによってブロードキャストされたＭＩＢの物理的ダウンリンク制御チャネルＰＤＣＣＨのＣｏｎｆｉｇＳＩＢ１情報要素ＩＥで与えられ得る。
【００６０】
ブロック６１７において、プロセッサ４００３は、ブロック６２１における測定タイマの満了前に、（トランシーバ４００１によって）第３の隣接セルのセル識別子を含むシステム情報を受信してよく、ブロック６１９において、プロセッサ４００３は、第３の隣接セルのセル識別子と第３の隣接セルに関するスタンドアロン／非スタンドアロンのインジケータとを含むセル識別子報告を、トランシーバ４００１によって現在のサービング基地局に送信してよい。したがって、ブロック６１５および／またはブロック６２３のセル識別子報告において空のセル識別子フィールドが供給されたとき、セル識別子がブロードキャストされたのかそれともブロードキャストされなかったのかを指示するため、あるいは、ブロック６１９のセル識別子報告においてセル識別子が供給されたとき、隣接セルがスタンドアロン／非スタンドアロンであることを指示するために、セル識別子報告の同一のフィールド（たとえばビット）が使用され得る。いくつかの他の実施形態によれば、セル識別子がブロードキャストされたか否かの指示を通信するため、またスタンドアロン／非スタンドアロンの状態を通信するために、セル識別子報告の別個のフィールド（たとえば別個のビット）が使用され得る。
【００６１】
図６の流れ図からの様々な動作は、無線デバイスおよび関連方法のいくつかの実施形態に関して任意選択でよい。たとえば（以下で明らかにされる）例示の実施形態１の方法に関して、図６のブロック６０１、６０３、６０５、６０９、６１７、６１９、６２１、および６２３の動作は任意選択でよい。
【００６２】
次に、図７の流れ図を参照しながら基地局ｅＮＢの動作を論じる。たとえば、図５の基地局の記憶装置５００５に記憶され得るモジュールが命令を供給し得、プロセッサ５００３が、モジュールの命令を実行して、図５の流れ図のそれぞれの動作を遂行する。
【００６３】
図７は、無線アクセスネットワークＲＡＮの基地局ｅＮＢ／ｇＮＢの動作を図示するものである。ブロック７０１において、プロセッサ５００３は、ＵＥによって測定報告が送信されたかどうかを判定してよい。測定報告が送信されたとき、プロセッサ５００３は、ブロック７０３において、トランシーバ５００１によって、無線デバイスから、隣接セルの物理セル識別子ＰＣＩを含む測定報告を受信し得る。（ＰＣＩに対応する）隣接セルのセルグローバル識別子ＣＧＩが、基地局に関する隣接関係テーブルＮＲＴに含まれていれば、ＮＲＴに関するそれ以上のアクションは不要になり得る。
【００６４】
ブロック７０５における、基地局に関するＮＲＴには隣接セルのＣＧＩが含まれていないことに応答して、プロセッサ５００３は、ブロック７０７において、トランシーバ５００１によって、ＵＥに、隣接セルのセル識別子（たとえば隣接セルのＣＧＩ）を報告するようにとの要求を送信してよい。その上に、要求は隣接セルのＰＣＩを含み得る。
【００６５】
ブロック７０９において、プロセッサ５００３は無線デバイスからセル識別子報告を受信し得る。空のセル識別子情報フィールドと、ブロック７１１および７１７における、隣接セルは隣接セルのセル識別子をブロードキャストしないという指示とを含むセル識別子報告に応答して、プロセッサ５００３は、ブロック７１９において、ネットワークインターフェース５００７を通じてＲＡＮの別のノードに通知を送信し得る。
【００６６】
したがって、ブロック７０１、７０３、７０５、７０７、７０９、７１１、７１７、および７１９に関して上記で論じられた動作は、セル識別子報告が、空のセルＩＤフィールドと、隣接セルがセル識別子をブロードキャストしないという指示とを含んでいるとき遂行され得る。セル識別子報告が、空のセルＩＤフィールドと、隣接セルがセル識別子をブロードキャストするという指示とを含んでいるときの動作を、以下で論じる。
【００６７】
ブロック７０１において、プロセッサ５００３は、ＵＥによって測定報告が送信されたかどうかを判定してよい。測定報告が送信されたとき、プロセッサ５００３は、ブロック７０３において、トランシーバ５００１によって、無線デバイス（たとえば上記で論じられた無線デバイスと同一の無線デバイスまたは別の無線デバイス）から、第２の隣接セルの物理セル識別子ＰＣＩを含む測定報告を受信し得る。（ＰＣＩに対応する）第２の隣接セルのセルグローバル識別子ＣＧＩが、基地局に関する隣接関係テーブルＮＲＴに含まれていれば、ＮＲＴに関するそれ以上のアクションは不要になり得る。
【００６８】
ブロック７０５における、基地局に関するＮＲＴには第２の隣接セルのＣＧＩが含まれていないことに応答して、プロセッサ５００３は、ブロック７０７において、トランシーバ５００１によって、ＵＥに、第２の隣接セルのセル識別子（たとえば第２の隣接セルのＣＧＩ）を報告するようにとの要求を送信してよい。その上に、要求は第２の隣接セルのＰＣＩを含み得る。
【００６９】
ブロック７０９において、プロセッサ５００３は無線デバイスからセル識別子報告を受信し得る。空のセル識別子情報フィールドと、ブロック７１１および７１７における、第２の隣接セルが第２の隣接セルのセル識別子をブロードキャストするという指示とを含むセル識別子報告に応答して、プロセッサ５００３は、ブロック７２１において、トランシーバ５００１によって、別の無線デバイスに、第２の隣接セルのセル識別子（ＣＧＩ）を報告するようにとの要求を送信してよい。この別の無線デバイスは、第２の隣接セルのＣＧＩを受信して、第２の隣接セルのＣＧＩを伴うセル識別子報告を供給し得る。その上に、ブロック７２１の要求は第２の隣接セルのＰＣＩを含み得る。
【００７０】
したがって、ブロック７０１、７０３、７０５、７０７、７０９、７１１、７１７、および７２１に関して上記で論じられた動作は、セル識別子報告が、空のセルＩＤフィールドと、第２の隣接セルがセル識別子をブロードキャストするという指示とを含んでいるとき遂行され得る。セル識別子報告がセル識別子（たとえばＣＧＩ）を含んでいるときの動作を以下で論じる。
【００７１】
ブロック７０１において、プロセッサ５００３は、ＵＥによって測定報告が送信されたかどうかを判定してよい。測定報告が送信されたとき、プロセッサ５００３は、ブロック７０３において、トランシーバ５００１によって、無線デバイス（たとえば上記で論じられた無線デバイスと同一の無線デバイスまたは異なる無線デバイス）から、第３の隣接セルの物理セル識別子ＰＣＩを含む測定報告を受信し得る。（ＰＣＩに対応する）第３の隣接セルのセルグローバル識別子ＣＧＩが、基地局に関する隣接関係テーブルＮＲＴに含まれていれば、ＮＲＴに関するそれ以上のアクションは不要になり得る。
【００７２】
ブロック７０５における、基地局に関するＮＲＴには第３の隣接セルのＣＧＩが含まれていないことに応答して、プロセッサ５００３は、ブロック７０７において、トランシーバ５００１によって、ＵＥに、第３の隣接セルのセル識別子（たとえば第３の隣接セルのＣＧＩ）を報告するようにとの要求を送信してよい。その上に、要求は第３の隣接セルのＰＣＩを含み得る。
【００７３】
ブロック７０９において、プロセッサ５００３は無線デバイスからセル識別子報告を受信し得る。ブロック７１１における、第３の隣接セルのセル識別子を含むセル識別子報告に応答して、プロセッサ５００３は、第３の隣接セルのセル識別子を使用して、基地局に関するＮＲＴを更新してよい。第３の隣接セルに関するセル識別子報告は、第３の隣接セルのセル識別子（たとえばＣＧＩ）に加えて、スタンドアロン／非スタンドアロンのインジケータを供給し得る。
【００７４】
ブロック７０９、７１１、および７１７のセル識別子報告において空のセル識別子フィールドが受信されたとき、セル識別子がブロードキャストされたのかそれともブロードキャストされなかったのかを指示するため、あるいは、ブロック７０９および７１１のセル識別子報告においてセル識別子が供給されたとき、隣接セルがスタンドアロン／非スタンドアロンであることを指示するために、セル識別子報告の同一のフィールド（たとえばビット）が使用され得る。いくつかの他の実施形態によれば、セル識別子がブロードキャストされたか否かの指示を通信するため、また隣接セルのスタンドアロン／非スタンドアロンの状態を通信するために、セル識別子報告の別個のフィールド（たとえば別個のビット）が使用され得る。
【００７５】
図７の流れ図からの様々な動作は、基地局および関連方法のいくつかの実施形態に関して任意選択でよい。たとえば（以下で明らかにされる）例示の実施形態１３の方法に関して、図７のブロック７０１、７０３、７０５、７１３、７１９、および７２１の動作は任意選択でよい。
【００７６】
発明概念のさらなる例示の実施形態が以下で明らかにされる。
１．無線アクセスネットワーク（ＲＡＮ）において無線端末ＵＥを動作させる方法であって、
隣接セルは隣接セルのセル識別子をブロードキャストしないという第１の指示を含むシステム情報を隣接セルから受信するステップ（６１１、６１３）と、
ＲＡＮに、隣接セルは隣接セルのセル識別子をブロードキャストしないという第２の指示を含むセル識別子報告を送信するステップ（６１５）とを含む方法。
２．セル識別子が隣接セルのセルグローバル識別子（ＣＧＩ）である方法であって、
ＲＡＮに、隣接セルの物理セル識別子（ＰＣＩ）を含む測定報告を送信するステップ（６０３）と、
ＲＡＮから、隣接セルのセル識別子を報告するようにとの要求を受信するステップ（６０７）であって、ＲＡＮからの要求は、隣接セルのＰＣＩを含む、ステップとをさらに含む、実施形態１に記載の方法。
３．ＰＣＩが、隣接セルによって送信される同期信号において符号化される、実施形態２に記載の方法。
４．要求を受信したことに応答してタイマを始動するステップ（６０９）をさらに含む方法であって、
セル識別子報告を送信するステップが、隣接セルが隣接セルのセル識別子をブロードキャストしないという第１の指示を含むシステム情報を受信したことに応答して、タイマの満了前に、ＲＡＮにセル識別子報告を送信するステップを含む、実施形態２または３に記載の方法。
５．タイマがＴ３２１タイマを備える、実施形態４に記載の方法。
６．隣接セルが第１の隣接セルであり、システム情報が第１のシステム情報であり、セル識別子報告が第１のセル識別子報告である方法であって、
ＲＡＮから、第２の隣接セルのセル識別子を報告するようにとの要求を受信するステップ（６０７）と、
要求を受信したことに応答してタイマを始動するステップ（６０９）と、
第２の要求を受信したことに応答して、第２の隣接セルから、第２の隣接セルが第２の隣接セルの第２のセル識別子をブロードキャストするという第３の指示を含む第２のシステム情報を受信するステップ（６１１、６１３、６１７）と、
隣接セルは第２の隣接セルのセル識別子をブロードキャストするという指示に応答して、また第２の隣接セルのセル識別子が受信されないままタイマが満了したことに応答して、空のセル識別子情報フィールドと第２の隣接セルは第２の隣接セルのセル識別子をブロードキャストするという第４の指示とを含む第２のセル識別子報告をＲＡＮに送信するステップ（６２３）とをさらに含む、実施形態１から５のいずれか１つに記載の方法。
７．タイマがＴ３２１タイマを備える、実施形態６に記載の方法。
８．セル識別子情報フィールドが空でないときスタンドアロン／非スタンドアロンのインジケータを供給するように使用されるセル識別子報告のフィールドにおいて、隣接セルはシステム情報ブロックを含まないという第２の指示が与えられる、実施形態１から７のいずれか１つに記載の方法。
９．セル識別子情報フィールドが空でないときスタンドアロン／非スタンドアロンのインジケータを供給するように使用されるセル識別子報告のフィールドにおいて、隣接セルはシステム情報ブロックを含まないという第２の指示が与えられ、隣接セルが第１の隣接セルであり、システム情報が第１のシステム情報であり、セル識別子報告が第１のセル識別子報告である方法であって、
ＲＡＮから、第２の隣接セルのセル識別子を報告するようにとの要求を受信するステップ（６０７）と、
要求を受信したことに応答して、隣接セルから、隣接セルが第２の隣接セルのセル識別子をブロードキャストするという第３の指示と第２の隣接セルのセル識別子とを含むシステム情報を受信するステップ（６１１、６１３、６１７）と、
ＲＡＮにセル識別子報告を送信するステップ（６１９）であって、第２のセル識別子報告が、第２の隣接セルのセル識別子と第２の隣接セルに関するスタンドアロン／非スタンドアロンのインジケータとを含む、セル識別子報告を送信するステップ（６１９）とをさらに含む、実施形態１から５のいずれか１つに記載の方法。
１０．セル識別子報告がＲＡＮのサービング基地局（ｅＮＢ、ｇＮＢ）に送信される、実施形態１から９のいずれか１つに記載の方法。
１１．システム情報はマスタ情報ブロック（ＭＩＢ）を含み、システム情報に隣接セルのセル識別子を有するシステム情報ブロックを隣接セルが含まないという指示を含む、実施形態１から１０のいずれか１つに記載の方法。
１２．隣接セルはセル識別子を有するシステム情報ブロックを含まないという指示が、ＭＩＢの物理的ダウンリンク制御チャネル（ＰＤＣＣＨ）のＣｏｎｆｉｇＳＩＢ１情報要素（ＩＥ）で与えられる、実施形態１１に記載の方法。
１３．ＲＡＮから、隣接セルのセル識別子を報告するようにとの要求を受信するステップ（６０７）であって、システム情報を受信するステップが、要求を受信したことに応答して隣接セルからシステム情報を受信するステップを含む、要求を受信するステップ（６０７）をさらに含む、実施形態１から１２のいずれか１つに記載の方法。
１４．セル識別子報告を送信するステップが、隣接セルは隣接セルのセル識別子をブロードキャストしないという第１の指示に応答してセル識別子報告を送信するステップを含む、実施形態１から１３のいずれか１つに記載の方法。
１５．セル識別子報告が、空のセル識別子情報フィールドと、隣接セルは隣接セルのセル識別子をブロードキャストしないという第２の指示とを含む、実施形態１から１４のいずれか１つに記載の方法。
１６．無線アクセスネットワーク（ＲＡＮ）の基地局（ｅＮＢ、ｇＮＢ）を動作させる方法であって、
無線デバイスから、隣接セルは隣接セルのセル識別子をブロードキャストしないという指示を含むセル識別子報告を受信するステップ（７０９、７１１、７１７）を含む方法。
１７．隣接セルは隣接セルのセル識別子をブロードキャストしないという指示に応答してＲＡＮの別のノードに通知を送信するステップ（７１９）をさらに含む、実施形態１６に記載の方法。
１８．無線デバイスが第１の無線デバイスであり、セル識別子報告が第１のセル識別子報告であり、隣接セルが第１の隣接セルである方法であって、
第２の無線デバイスに、第２の隣接セルの第２のセル識別子を報告するようにとの要求を送信するステップ（７０７）と、
第２の無線デバイスから、第２の空のセル識別子情報フィールドと第２の隣接セルは第２の隣接セルの第２のセル識別子をブロードキャストするという指示とを含む第２のセル識別子報告を受信するステップ（７０９、７１１、７１７）と、
第２の空のセル識別子情報フィールドを含む第２のセル識別子報告に応答して、また第２の隣接セルは第２の隣接セルの第２のセル識別子をブロードキャストするという指示に応答して、第３の無線デバイスに要求を送信するステップ（７２１）とをさらに含む、実施形態１６または１７に記載の方法。
１９．セル識別子が隣接セルのセルグローバル識別子（ＣＧＩ）である方法であって、
無線デバイスから、隣接セルの物理セル識別子（ＰＣＩ）を含む測定報告を受信するステップ（７０３）と、
無線デバイスに、隣接セルのセル識別子を報告するようにとの要求を送信するステップ（７０７）であって、要求が、ＰＣＩを含み、測定報告を受信したことに応答して、また基地局に関する隣接関係テーブル（ＮＲＴ）にＣＧＩが含まれていないことに応答して送信される、要求を送信するステップ（７０７）とをさらに含む、実施形態１６から１８のいずれか１つに記載の方法。
２０．セル識別子情報フィールドが空でないときスタンドアロン／非スタンドアロンのインジケータを供給するように使用されるセル識別子報告のフィールドにおいて、隣接セルはシステム情報ブロックを含まないという指示が与えられる、実施形態１６から１９のいずれか１つに記載の方法。
２１．セル識別子情報フィールドが空でないときスタンドアロン／非スタンドアロンのインジケータを供給するように使用されるセル識別子報告のフィールドにおいて、隣接セルはシステム情報ブロックを含まないという指示が与えられ、無線デバイスが第１の無線デバイスであり、セル識別子報告が第１のセル識別子報告であり、隣接セルが第１の隣接セルである方法であって、
第２の無線デバイスに、第２の隣接セルのセル識別子を報告するようにとの要求を送信するステップ（７０７）と、
第２の無線デバイスから、第２の隣接セルのセル識別子と第２の隣接セルに関するスタンドアロン／非スタンドアロンのインジケータとを含む第２のセル識別子報告を受信するステップ（７０９、７１１）と、
第２の隣接セルのセル識別子を使用して基地局に関する隣接関係テーブル（ＮＲＴ）を更新するステップ（７１３）とをさらに含む、実施形態１６または１７に記載の方法。
２２．無線デバイス（ＵＥ）に、隣接セルのセル識別子を報告するようにとの要求を送信するステップ（７０７）をさらに含む、実施形態１６、１７、１８、２０、または２１のいずれか１つに記載の方法。
２３．セル識別子報告が、空のセル識別子情報フィールドと、隣接セルは隣接セルのセル識別子をブロードキャストしないという指示とを含む、実施形態１６から２２のいずれか１つに記載の方法。
２４．無線通信ネットワークとの無線ネットワーク通信をもたらすように設定されたトランシーバ（４００１）と、
トランシーバによる無線ネットワーク通信をもたらすように設定され、また実施形態１から１５のいずれか１つに記載の動作を遂行するように設定されて、トランシーバに結合されたプロセッサ（４００３）とを備える第１の無線デバイス（ＵＥ）。
２５．実施形態１から１５のいずれか１つに従って動作するように適合されている無線デバイス（ＵＥ）。
２６．無線通信ネットワークの基地局（ｅＮＢ、ｇＮＢ）であって、
無線端末との無線ネットワーク通信をもたらすように設定されたトランシーバ（５００１）と、
トランシーバによる無線ネットワーク通信をもたらすように設定され、また実施形態１６から２３のいずれか１つに記載の動作を遂行するように設定されて、トランシーバに結合されたプロセッサ（５００３）とを備える、無線通信ネットワークの基地局（ｅＮＢ、ｇＮＢ）。
２７．無線アクセスネットワークの基地局（ｅＮＢ、ｇＮＢ）であって、実施形態１６から２３のいずれか１つによって動作するように適合されている基地局（ｅＮＢ、ｇＮＢ）。
【００７７】
図８は、発明概念の実施形態に従って無線通信を提供するように設定された無線デバイスＵＥ  ３３３０（無線端末、無線通信デバイス、無線通信端末、ユーザ機器（ＵＥ）、ユーザ機器ノード／端末／デバイスなどとも称される）の要素を図示するブロック図である。示されるように、無線デバイスＵＥは、アンテナ３３３６と、無線通信ネットワーク（無線アクセスネットワークＲＡＮとも称される）の基地局（ｇＮＢ）とのアップリンクおよびダウンリンクの無線通信を提供するように設定された送信機および受信機を含むトランシーバ回路３３３７（無線インターフェースとも称される）とを含み得る。無線デバイスＵＥは、トランシーバ回路に結合されたプロセッサ回路３３３８（処理回路とも称される）、およびプロセッサ回路に結合された記憶回路３３３５（記憶装置とも称される）も含み得る。プロセッサ回路３３３８は、記憶回路３３３５に含まれ得るコンピュータ可読プログラムコードを実行することにより、本明細書で開示された実施形態による動作を遂行する。他の実施形態によれば、プロセッサ回路３３３８は記憶装置を含むように規定されてよく、その結果、個別の記憶回路が不要になる。無線デバイスＵＥは、プロセッサ３３３８に結合された（ユーザインターフェースなどの）インターフェースも含んでよく、ならびに／あるいは無線デバイスＵＥはＩｏＴおよび／またはＭＴＣのデバイスでよい。
【００７８】
本明細書で論じられたように、無線デバイスＵＥの動作はプロセッサ３３３８および／またはトランシーバ３３３７によって遂行され得る。たとえば、プロセッサ３３３８によって、トランシーバ３３３７は、アップリンク通信を、無線インターフェースを通じて、無線通信ネットワークの基地局（たとえばｇＮＢ−ＣＵならびに１つまたは複数のｇＮＢ−ＤＵを含むｇＮＢ基地局）に送信し、かつ／またはダウンリンク通信を、無線インターフェースを通じて無線通信ネットワークの基地局（たとえばｇＮＢ−ＣＵならびに１つまたは複数のｇＮＢ−ＤＵを含むｇＮＢ基地局）から受信するように制御され得る。その上に、記憶装置３３３５にはモジュールが記憶され得、プロセッサ３３３８は、これらのモジュールによって供給され得る命令を実行することにより、それぞれの動作（たとえば例示の実施形態に関して以下で論じられる動作）を遂行する。
【００７９】
本発明は、ネットワークノードの物理的配置が透過的でないか、または少なくとも部分的に未知である可能性があるクラウドの実装形態（または仮想環境）において特に有益であり得る。その上に、ＤＵおよびＣＵの物理的配置が変化し得、中間ノードの数も変化し得る。このことの結果として、ＵＬおよびＤＬの遅延特性も、設定および距離に依拠して大幅な変化を示すはずであり、ＵＬおよびＤＬの遅延寄与を連続的に測定することが有益であり得る。
【００８０】
図８を参照して、一実施形態によれば、通信システムが含む３ＧＰＰタイプのセルラーネットワークなどの遠隔通信ネットワーク３２１０は、無線アクセスネットワークなどのアクセスネットワーク３２１１およびコアネットワーク３２１４を備える。アクセスネットワーク３２１１には、ＮＢ、ｅＮＢ、ｇＮＢなどの複数の基地局３２１２ａ、３２１２ｂ、３２１２ｃまたは他のタイプの無線アクセスポイントが備わっており、それぞれが、対応するカバレッジエリア３２１３ａ、３２１３ｂ、３２１３ｃを規定する。各基地局３２１２ａ、３２１２ｂ、３２１２ｃは、有線または無線の接続３２１５を通じてコアネットワーク３２１４に接続可能である。カバレッジエリア３２１３ｃに配置された第１ユーザ機器（ＵＥ）３２９１は、対応する基地局３２１２ｃに無線で接続するかまたは基地局３２１２ｃによってページングされるように設定されている。カバレッジエリア３２１３ａにおける第２のＵＥ  ３２９２は、対応する基地局３２１２ａに無線で接続可能である。この例では複数のＵＥ３２９１、３２９２が図示されているが、開示された実施形態は、カバレッジエリアにＵＥが単独で存在する状況や、単独のＵＥが、対応する基地局３２１２に接続されている状況にも同様に適用可能である。
【００８１】
遠隔通信ネットワーク３２１０自体がホストコンピュータ３２３０に接続されており、このことは、ハードウェアおよび／またはスタンドアロンのサーバ、クラウドで実施されたサーバ、分散型サーバのソフトウェア、もしくはサーバファームにおける処理リソースとして具現され得る。ホストコンピュータ３２３０は、サービスプロバイダに所有されるかもしくは制御されてよく、またはサービスプロバイダによって、もしくはサービスプロバイダのために運営されてよい。遠隔通信ネットワーク３２１０とホストコンピュータ３２３０との間の接続３２２１、３２２２は、コアネットワーク３２１４からホストコンピュータ３２３０に直接届いてよく、または任意選択の中間ネットワーク３２２０を介してもよい。中間ネットワーク３２２０は、パブリックネットワーク、プライベートネットワーク、またはホスティングされたネットワークのうちの１つでよく、または２つ以上の組合せでもよく、存在する場合には、バックボーンネットワークまたはインターネットでよく、詳細には、２つ以上のサブネットワーク（図示せず）を備え得る。
【００８２】
全体としての図８の通信システムは、接続されたＵＥ３２９１、３２９２のうちの１つとホストコンピュータ３２３０との間のコネクティビティを可能にする。コネクティビティはオーバーザトップ（ＯＴＴ）接続３２５０として説明され得る。ホストコンピュータ３２３０および接続されたＵＥ３２９１、３２９２は、仲介物としてアクセスネットワーク３２１１、コアネットワーク３２１４、任意の中間ネットワーク３２２０および可能なさらなるインフラストラクチュア（図示せず）を使用して、ＯＴＴ接続３２５０を通じてデータおよび／またはシグナリングを通信するように設定されている。ＯＴＴ接続３２５０は、ＯＴＴ接続３２５０を通して関与する通信デバイスがアップリンク通信やダウンリンク通信のルーティングを認識しないという意味で透過的であり得る。たとえば、基地局３２１２は、接続されたＵＥ３２９１に転送される（たとえばハンドオーバされる）、ホストコンピュータ３２３０由来のデータを伴う入来ダウンリンク通信の過去のルーティングに関して通知されなくてよく、通知される必要もない。同様に、基地局３２１２は、ＵＥ３２９１由来の出力の、ホストコンピュータ３２３０へのアップリンク通信の将来のルーティングを認識する必要はない。
【００８３】
次に、前節において論じられた一実施形態によるＵＥ、基地局、およびホストコンピュータの例示の実装形態が、図９を参照しながら説明される。通信システム３３００において、ホストコンピュータ３３１０が備えるハードウェア３３１５に含まれる通信インターフェース３３１６は、通信システム３３００の異なる通信デバイスのインターフェースとの有線または無線の接続をセットアップして維持するように設定されている。ホストコンピュータ３３１０がさらに備える処理回路３３１８は、記憶能力および／または処理能力を有し得る。詳細には、処理回路３３１８は、命令を実行するように適合された１つまたは複数のプログラマブルプロセッサ、特定用途向け集積回路、フィールドプログラマブルゲートアレイまたはこれらの組合せ（図示せず）を備え得る。ホストコンピュータ３３１０がさらに含むソフトウェア３３１１は、ホストコンピュータ３３１０に記憶されまたはホストコンピュータ３３１０によるアクセスが可能であり、処理回路３３１８によって実行可能である。ソフトウェア３３１１はホストアプリケーション３３１２を含む。ホストアプリケーション３３１２は、ＵＥ  ３３３０およびホストコンピュータ３３１０において終結するＯＴＴ接続３３５０を介して接続するＵＥ  ３３３０などの遠隔ユーザにサービスを提供するように動作可能であり得る。遠隔ユーザにサービスを提供する際に、ホストアプリケーション３３１２は、ＯＴＴ接続３３５０を使用して送信されるユーザデータを供給してよい。
【００８４】
通信システム３３００がさらに備える基地局３３２０は、遠隔通信システムに用意され、ホストコンピュータ３３１０およびＵＥ  ３３３０との通信を可能にするハードウェア３３２５を備える。基地局３３２０は、ＣＵ  ７０００および１つまたは複数のＤＵ  ６０００を備え得る。ハードウェア３３２５は、通信システム３３００の異なる通信デバイスのインターフェースとの有線または無線の接続をセットアップして維持するための通信インターフェース３３２６、ならびに、少なくとも基地局３３２０によってサーブされたカバレッジエリア（図９には示されていない）にあるＵＥ  ３３３０との無線接続３３７０をセットアップして維持するための無線インターフェース３３２７を含み得る。通信インターフェース３３２６は、ホストコンピュータ３３１０に対する接続３３６０を容易にするように設定されてよい。接続３３６０は直接的でよく、あるいは、遠隔通信システムのコアネットワーク（図９には示されていない）および／または遠隔通信システムの外部の１つまたは複数の中間のネットワークを介してもよい。示された実施形態では、基地局３３２０のハードウェア３３２５がさらに含む処理回路３３２８は、命令を実行するように適合された、１つまたは複数のプログラマブルプロセッサ、特定用途向け集積回路、フィールドプログラマブルゲートアレイまたはこれらの組合せ（図示せず）を備え得る。基地局３３２０がさらに有するソフトウェア３３２１は、内部に記憶されるかまたは外部接続を介してアクセスされ得る。
【００８５】
通信システム３３００は、既に言及されたＵＥ  ３３３０をさらに備える。ＵＥ  ３３３０のハードウェア３３３５が含み得る無線インターフェース３３３７は、ＵＥ  ３３３０が今のところ位置するカバレッジエリアにサーブしている基地局との無線接続３３７０をセットアップして維持するように設定されている。ＵＥ  ３３３０のハードウェア３３３５がさらに含む処理回路３３３８は、命令を実行するように適合された１つまたは複数のプログラマブルプロセッサ、特定用途向け集積回路、フィールドプログラマブルゲートアレイまたはこれらの組合せ（図示せず）を備え得る。ＵＥ  ３３３０がさらに含むソフトウェア３３３１は、ＵＥ  ３３３０に記憶されまたはＵＥ  ３３３０によるアクセスが可能であり、処理回路３３３８によって実行可能である。ソフトウェア３３３１はクライアントアプリケーション３３３２を含む。クライアントアプリケーション３３３２は、ホストコンピュータ３３１０の支援の下に、ＵＥ  ３３３０を介して、人間または人間以外のユーザにサービスを提供するように動作可能であり得る。ホストコンピュータ３３１０において実行中のホストアプリケーション３３１２は、ＵＥ  ３３３０およびホストコンピュータ３３１０において終結するＯＴＴ接続３３５０を介して、実行中のクライアントアプリケーション３３３２と通信し得る。クライアントアプリケーション３３３２は、ユーザにサービスを提供する際に、ホストアプリケーション３３１２から要求データを受信し、要求データに応答してユーザデータを供給してよい。ＯＴＴ接続３３５０は、要求データとユーザデータの両方を転送し得る。クライアントアプリケーション３３３２は、ユーザと相互作用して、供給するユーザデータを生成し得る。
【００８６】
図９に図示されたホストコンピュータ３３１０、基地局３３２０およびＵＥ  ３３３０は、それぞれ図８のホストコンピュータ３２３０、基地局３２１２ａ、３２１２ｂ、３２１２ｃのうちの１つ、およびＵＥ３２９１、３２９２のうちの１つと同一でよいことが注意される。つまり、これらのエンティティの内部作用は図９に示された通りでよく、独立して、周囲のネットワークトポロジは図８のものでよい。
【００８７】
図９において、ＯＴＴ接続３３５０は、基地局３３２０を介したホストコンピュータ３３１０とユーザ機器３３３０との間の通信を、いかなる中間デバイスも、これらのデバイスを介したメッセージの正確なルーティングも、明示的に参照することなく抽象的に図示するものである。ネットワークインフラストラクチャは、ネットワークインフラストラクチャが、ＵＥ  ３３３０、またはホストコンピュータ３３１０を運営するサービスプロバイダ、または両方から隠すように設定され得るルーティングを判定してよい。ＯＴＴ接続３３５０が有効である間に、ネットワークインフラストラクチャは（たとえばネットワークの負荷分散の検討または再設定を基に）ルーティングを動的に変更することをさらに裁定してよい。
【００８８】
ＵＥ  ３３３０と基地局３３２０との間の無線接続３３７０は、本開示の全体にわたって説明された実施形態の教示によるものである。
【００８９】
様々な実施形態のうちの１つまたは複数が、最後のセグメントが無線接続３３７０で形成されているＯＴＴ接続３３５０を使用してＵＥ  ３３３０に提供されるＯＴＴサービスの性能を改善する。より正確には、これらの実施形態の教示は、レイテンシまたは電力消費を改善し得、それによって、より優れた応答性、延長されたバッテリー寿命などの利益を提供し得るものである。
【００９０】
データレート、レイテンシならびに１つまたは複数の実施形態を改善する他の要因を監視するための測定手順が提供され得る。測定結果の変化に応答してホストコンピュータ３３１０とＵＥ  ３３３０との間のＯＴＴ接続３３５０を再設定するための任意選択のネットワーク機能がさらにあってよい。ＯＴＴ接続３３５０を再設定するための測定手順および／またはネットワーク機能は、ホストコンピュータ３３１０のソフトウェア３３１１、またはＵＥ  ３３３０のソフトウェア３３３１、または両方で実施されてよい。実施形態では、センサ（図示せず）が、ＯＴＴ接続３３５０を通す通信デバイスの中に、または同デバイスに関連して配備されてよく、センサは、上記の例の監視された量の値または他の物理量の値を供給することよって測定手順に関与してよく、ソフトウェア３３１１、３３３１は、これらの値から、監視された量を計算するかまたは推定してよい。ＯＴＴ接続３３５０の再設定は、メッセージフォーマット、再送信セッティング、望ましいルーティングなどを含み得、再設定は、基地局３３２０に影響を及ぼす必要はなく、基地局３３２０が分からない、または感知できないものでよい。そのような手順および機能は、当技術において既知であって実施され得るものである。ある特定の実施形態では、測定は専用のＵＥシグナリングを包含し得、ホストコンピュータ３３１０の測定のスループット、伝播時間、レイテンシなどを容易にする。実施され得る測定では、ソフトウェア３３１１、３３３１が、伝播時間、エラーなどを監視しながら、ＯＴＴ接続３３５０を使用して、メッセージ、詳細には空すなわち「ダミー」メッセージを送信する。
【００９１】
図１０は、一実施形態による、通信システムにおいて実施される方法を図示する流れ図である。通信システムは、図８および図９を参照しながら説明されたものであり得るホストコンピュータ、基地局、およびＵＥを含む。本開示の簡単さのために、この段落で参照されるのは図１０のみである。この方法の第１のステップ３４１０において、ホストコンピュータはユーザデータを供給する。第１のステップ３４１０の任意選択のサブステップ３４１１において、ホストコンピュータは、ホストアプリケーションを実行することによってユーザデータを供給する。第２のステップ３４２０において、ホストコンピュータは、ユーザデータをＵＥに搬送する送信を開始する。任意選択の第３のステップ３４３０において、基地局は、本開示の全体にわたって説明された実施形態の教示に従って、ホストコンピュータが開始した送信で搬送されたユーザデータをＵＥに送信する。任意選択の第４のステップ３４４０において、ＵＥは、ホストコンピュータによって実行されるホストアプリケーションに関連したクライアントアプリケーションを実行する。
【００９２】
図１１は、一実施形態による、通信システムにおいて実施される方法を図示する流れ図である。通信システムは、図８および図９を参照しながら説明されたものであり得るホストコンピュータ、基地局、およびＵＥを含む。本開示の簡単さのために、この段落で参照されるのは図１１のみである。この方法の第１のステップ３５１０において、ホストコンピュータはユーザデータを供給する。任意選択のサブステップ（図示せず）において、ホストコンピュータはホストアプリケーションを実行することによってユーザデータを供給する。第２のステップ３５２０において、ホストコンピュータは、ユーザデータをＵＥに搬送する送信を開始する。送信は、本開示の全体にわたって説明された実施形態の教示に従って、基地局を通されてよい。任意選択の第３のステップ３５３０において、ＵＥは、送信で搬送されたユーザデータを受信する。
【００９３】
図１２は、一実施形態による、通信システムにおいて実施される方法を図示する流れ図である。通信システムは、図８および図９を参照しながら説明されたものであり得るホストコンピュータ、基地局、およびＵＥを含む。本開示の簡単さのために、この段落で参照されるのは図１２のみである。この方法の任意選択の第１のステップ３６１０において、ＵＥは、ホストコンピュータによって供給された入力データを受信する。それに加えて、またはその代わりに、ＵＥは、任意選択の第２のステップ３６２０においてユーザデータを供給する。第２のステップ３６２０の任意選択のサブステップ３６２１において、ＵＥはクライアントアプリケーションを実行することによってユーザデータを供給する。第１のステップ３６１０のさらなる任意選択のサブステップ３６１１において、ＵＥは、ホストコンピュータによって供給された受信入力データに反応して、ユーザデータを供給するクライアントアプリケーションを実行する。ユーザデータを供給するとき、実行されるクライアントアプリケーションは、ユーザから受信されたユーザ入力をさらに考慮に入れてよい。ユーザデータが供給された特定のやり方に関係なく、ＵＥは、任意選択の第３のサブステップ３６３０において、ホストコンピュータへのユーザデータの送信を開始する。この方法の第４のステップ３６４０において、ホストコンピュータは、本開示の全体にわたって説明された実施形態の教示に従って、ＵＥから送信されたユーザデータを受信する。
【００９４】
図１３は、一実施形態による、通信システムにおいて実施される方法を図示する流れ図である。通信システムは、図８および図９を参照しながら説明されたものであり得るホストコンピュータ、基地局、およびＵＥを含む。本開示の簡単さのために、この段落で参照されるのは図１３のみである。この方法の任意選択の第１のステップ３７１０において、本開示の全体にわたって説明された実施形態の教示により、基地局はＵＥからユーザデータを受信する。任意選択の第２のステップ３７２０において、基地局は、受信したユーザデータのホストコンピュータへの送信を開始する。第３のステップ３７３０において、ホストコンピュータは、基地局が開始した送信で搬送されるユーザデータを受信する。
【図１Ａ】
2021522698.tif 000003
【図１Ｂ】
2021522698.tif 000004
【図１Ｃ】
2021522698.tif 000005
【図１Ｄ】
2021522698.tif 000006
【図１Ｅ】
2021522698.tif 000007
【図２】
2021522698.tif 000008
【図３】
2021522698.tif 000009
【図４】
2021522698.tif 000010
【図５】
2021522698.tif 000011
【図６】
2021522698.tif 000012
【図７】
2021522698.tif 000013
【図８】
2021522698.tif 000014
【図９】
2021522698.tif 000015
【図１０】
2021522698.tif 000016
【図１１】
2021522698.tif 000017
【図１２】
2021522698.tif 000018
【図１３】
2021522698.tif 000019
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
無線アクセスネットワーク（ＲＡＮ）のサービングセルに関連したネットワークノード（３３２０）に接続された無線端末ＵＥ（３３３０）を動作させる方法であって、
・前記ネットワークノードから、前記サービングセルの隣接セルのグローバルセル識別子（ＣＧＩ）を報告するようにとの要求を受信することと、
・前記ＣＧＩを報告するようにとの前記要求を受信したことに応答してタイマを始動することと、
・隣接セルからシステム情報を受信すること（６１１、６１３）と、
・前記システム情報から、前記隣接セルが前記隣接セルの前記ＣＧＩをブロードキャストするか否かを判定することと、
・前記ネットワークノードにＣＧＩ報告を送信すること（６１５）であって、
・前記隣接セルが前記ＣＧＩをブロードキャストしない場合には、前記隣接セルは前記隣接セルの前記ＣＧＩをブロードキャストしないという指示を前記ＣＧＩ報告に含める、ＣＧＩ報告を送信すること（６１５）と、
・前記タイマの満了前に前記ＣＧＩ報告を送信することとを含む、方法。
【請求項２】
前記ＣＧＩ報告を送信したとき前記タイマを停止することをさらに含む、請求項１に記載の方法。
【請求項３】
・前記ネットワークノードに、前記隣接セルの物理セル識別子（ＰＣＩ）を含む測定報告を送信すること（６０３）と、前記ネットワークノードから、前記隣接セルの前記ＣＧＩを報告するようにとの要求を受信すること（６０７）であって、前記要求は、前記隣接セルの前記ＰＣＩを含む、要求を受信すること（６０７）とをさらに含む、請求項１に記載の方法。
【請求項４】
前記システム情報から、前記隣接セルがグローバルセル識別子（ＣＧＩ）をブロードキャストしないかどうか判定することが、前記ＰＣＩに基づくものである、請求項３に記載の方法。
【請求項５】
前記ＰＣＩが、前記隣接セルによって送信される同期信号において符号化される、請求項３または４に記載の方法。
【請求項６】
前記タイマがＴ３２１タイマであって、前記ＵＥが前記タイマの期間内に前記ＣＧＩの判定に成功した場合には前記ＣＧＩに関する情報が前記ＣＧＩ報告に含まれる、請求項１に記載の方法。
【請求項７】
前記システム情報が、マスタ情報ブロック（ＭＩＢ）に含まれ、前記システム情報に前記隣接セルの前記セル識別子を有するシステム情報ブロックを前記隣接セルが含まないという指示を含む、請求項１から６のいずれか一項に記載の方法。
【請求項８】
前記隣接セルは前記セル識別子を有するシステム情報ブロックを含まないという前記指示が、前記ＭＩＢの物理的ダウンリンク制御チャネル（ＰＤＣＣＨ）のＣｏｎｆｉｇＳＩＢ１情報要素（ＩＥ）で与えられる、請求項７に記載の方法。
【請求項９】
前記ＣＧＩ報告がセル識別子情報フィールドを含み、空のフィールドは、前記隣接セルが前記隣接セルの前記ＣＧＩをブロードキャストしないこと、または前記ＵＥが前記ブロードキャストされたＣＧＩを適切に検知しなかったことを指示する、請求項１から８のいずれか一項に記載の方法。
【請求項１０】
前記ＣＧＩ報告が、システム情報の存在を表すフラグをさらに含み、前記フラグは、前記隣接セルが前記隣接セルの前記ＣＧＩをブロードキャストしないこと、または前記ＵＥが前記ブロードキャストされたＣＧＩを適切に検知しなかったことを指示する、請求項９に記載の方法。
【請求項１１】
無線アクセスネットワーク（ＲＡＮ）のネットワークノード（３３２０）を動作させる方法であって、前記ネットワークノードが、無線デバイスＵＥ（３３３０）にサーブするサービングセルに関連づけられていて、前記方法は、
・前記ＵＥに、隣接セルのグローバルセル識別子（ＣＧＩ）を報告するようにとの要求を送信すること（７０７）と、
・前記ＵＥから、前記隣接セルの前記ＣＧＩを含まないＣＧＩ報告を受信すること（７０９、７１１、７１７）と、
・前記ＣＧＩ報告における指示から、前記隣接セルが前記ＣＧＩをブロードキャストしなかったのか、それとも前記隣接セルによってブロードキャストされた前記ＣＧＩを前記ＵＥが検知し得なかったのかを判定することと、
・前記判定に依拠してアクションを採用することとを含む、方法。
【請求項１２】
前記隣接セルは前記隣接セルの前記セル識別子をブロードキャストしないという前記検知に応答して前記ＲＡＮノードの別のノードに通知を送信すること（７１９）をさらに含む、請求項１１に記載の方法。
【請求項１３】
前記ＵＥが前記隣接セルの前記ブロードキャストされたＣＧＩを検知し得なかったと判定された場合には、第２のＵＥに、前記隣接セルに関するＣＧＩ報告を遂行するように命令することをさらに含む、請求項１１に記載の方法。
【請求項１４】
・前記ＵＥから、前記隣接セルの物理セル識別子（ＰＣＩ）を含む測定報告を受信すること（７０３）をさらに含む、請求項１１から１３のいずれか一項に記載の方法。
【請求項１５】
前記要求が、前記ＰＣＩを含み、前記測定報告を受信したことに応答して、また前記ネットワークノードに関する隣接関係テーブル（ＮＲＴ）に前記ＣＧＩが含まれていないのを検知したことに応答して送信される、請求項１４に記載の方法。
【請求項１６】
セル識別子情報フィールドが空でないときスタンドアロン／非スタンドアロンのインジケータを供給するように使用される前記セル識別子報告のフィールドにおいて前記指示が与えられる、請求項１１から１５のいずれか一項に記載の方法。
【請求項１７】
前記ＣＧＩ報告がセル識別子情報フィールドを含み、空のフィールドは、前記隣接セルが前記隣接セルの前記ＣＧＩをブロードキャストしないこと、または前記ＵＥが前記ブロードキャストされたＣＧＩを適切に検知しなかったことを指示する、請求項１１から１６のいずれか一項に記載の方法。
【請求項１８】
前記ＣＧＩ報告が、システム情報の存在を表すフラグをさらに含み、前記フラグは前記隣接セルが前記隣接セルの前記ＣＧＩをブロードキャストしないこと、または前記ＵＥが前記ブロードキャストされたＣＧＩを適切に検知しなかったことを指示する、請求項１７に記載の方法。
【請求項１９】
・無線通信ネットワークとの無線ネットワーク通信をもたらすように設定されたトランシーバ（４００１）と、
・前記トランシーバに結合されたプロセッサ（４００３）であって、前記トランシーバによる無線ネットワーク通信をもたらすように設定され、また請求項１から１０のいずれか一項に記載の動作を遂行するように設定されている、プロセッサ（４００３）とを備える、無線デバイスＵＥ（３３３０）。
【請求項２０】
請求項１から１０のいずれか一項に記載のステップを遂行するように適合された、無線デバイスＵＥ（３３３０）。
【請求項２１】
無線通信ネットワークのネットワークノード（３３２０）であって、
・無線端末との無線ネットワーク通信をもたらすように設定されたトランシーバ（５００１）と、
・前記トランシーバに結合されたプロセッサ（５００３）であって、前記トランシーバによる無線ネットワーク通信をもたらすように設定され、また請求項１１から１８のいずれか一項に記載の動作を遂行するように設定されている、プロセッサ（５００３）とを備える、無線通信ネットワークのネットワークノード（３３２０）。
【請求項２２】
請求項１１から１８のいずれか一項に記載のステップを遂行するように適合された、無線アクセスネットワークのネットワークノード（３３２０）。
【国際調査報告】
2021522698.tif 000020
2021522698.tif 000021
2021522698.tif 000022